(57)【要約】【課題】  作業が危険な現場や工期が短い場所にマスコンクリート構造物を構築するに際し、作業条件が良く安全な別の場所でコンクリートブロックを製造し、これを現場に運搬し、堅固に安全に短期間に簡単に積み上げる。このような用途に使用するコンクリートブロックを開発する。【解決手段】  直方体形状の本体部と、その上面の四隅から延出する四角錐台形状の４本の上脚部と、その下面の四隅から延出する逆四角錐台形状の４本の下脚部とを有し、本体部はその上面中央部には上嵌入部を、下面中央部には下嵌入部を有する基本コンクリートブロックであって、当該ブロック同士を上下方向に相互に嵌合させ、前後左右及び上下に密に接触させて配置することができるもの。このブロックでマスコンクリート構造物を構築するに際しては、各層におけるブロックの平面形における位置を、前後左右にブロック半個ずつずらせて配置する。【選択図】  図１
2013092005.tif 000002
【特許請求の範囲】
【請求項１】
直方体形状の本体部（２）と、本体部（２）の上面（１９）の四隅から延出する、本体部（２）の側面（３Ａ），（３Ｂ）に各々共通する側面（９ｃ），（９ｄ）及び側面（９ｃ）に隣接する内側の側面（９ｂ）、側面（９ｄ）に隣接する内側の側面（９ａ）を有する四角錐台形状の４本の上脚部（４），（４），（４），（４）と、本体部（２）の下面（２０）の四隅から延出する、本体部（２）の側面（３Ａ），（３Ｂ）に各々共通する側面（１０ｃ），（１０ｄ）及び側面（１０ｃ）に隣接する内側の側面（１０ｂ）、側面（１０ｄ）に隣接する内側の側面（１０ａ）を有する逆四角錐台形状の４本の下脚部（５），（５），（５），（５）とを有するコンクリートブロックであって、
本体部（２）は、その上面（１９）の中央部には逆四角錐台形状の上嵌入部（８）を、下面（２０）の中央部には四角錐台形状の下嵌入部（１１）を有し、
ここで、上嵌入部（８）の底面（６ａ）は、本体部（２）の上面（１９）と平行であり、上嵌入部（８）の上端である外周の位置は、上嵌入部（８）が上脚部（４），（４），（４），（４）と重ならず且つ当該外周を形成する四辺すべての外側に上面（１９）が存在することが必要であり、上嵌入部（８）の側面（７ａ１），（７ａ２）の傾斜角は、各々、下脚部（５）の内側の側面（１０ａ），（１０ｂ）の傾斜角と同一の角度であり、
下嵌入部（１１）の天井（６ｂ）は、本体部（２）の下面（２０）と平行であり、下嵌入部（１１）の下端である外周の位置は、下嵌入部（１１）が下脚部（５），（５），（５），（５）と重ならず且つ当該外周を形成する四辺すべての外側に下面（２０）が存在することが必要であり、下嵌入部（１１）の側面（７ｂ１），（７ｂ２）の傾斜角は、各々、上脚部（４）の内側の側面（９ａ），（９ｂ）の傾斜角と同一の角度であり、
上嵌入部（８）の深さは、下脚部（５）の高さよりも大きく、上嵌入部（８）の大きさは、４個のコンクリートブロックにおける各々１本の下脚部（５），（５），（５），（５）を、下脚部（５）の外側の二側面（１０ｃ），（１０ｄ）の境界である辺（４２）が中央に来るように集結させた大きさよりも大きく、したがって、上嵌入部（８）には、４個のコンクリートブロックにおける各々１本の下脚部（５），（５），（５），（５）を、下脚部（５）の外側の二側面（１０ｃ），（１０ｄ）の境界である辺（４２）が中央に来るように集結させて挿入することができ、そして、
下嵌入部（１１）の深さは、上脚部（４）の高さよりも大きく、下嵌入部（１１）の大きさは、４個のコンクリートブロックにおける各々１本の上脚部（４）、（４），（４），（４）を、上脚部（４）の外側の二側面（９ｃ），（９ｄ）の境界である辺（４１）が中央に来るように集結させた大きさよりも大きく、したがって、下嵌入部（１１）には、４個のコンクリートブロックにおける各々１本の上脚部（４），（４），（４），（４）を、上脚部（４）の外側の二側面（９ｃ），（９ｄ）の境界である辺（４１）が中央に来るように集結させて挿入することができることを特徴とする基本コンクリートブロック。
【請求項２】
下嵌入部（１１）を更に深く穿設して吊り金具収納部（１５）を設けたことを特徴とする請求項１に記載する基本コンクリートブロック。
【請求項３】
上嵌入部（８）の中心には、その横断面形状が上嵌入部（８）の底面（６ａ）の４辺と斜角で交わる直線によって囲まれた四辺形の貫通孔（１２）が、下嵌入部（１１）の天井（６ｂ）に達するように穿設され、本体部（２）の四隅と、上脚部（４）及び下脚部（５）の本体部（２）の四隅から延出する部位には、貫通孔（１２）の一辺と平行な直線で切欠かれた切欠き面（１３）が設けられていることを特徴とする請求項１に記載する基本コンクリートブロック。
【請求項４】
上嵌入部（８）の中心には、その横断面形状が上嵌入部（８）の底面（６ａ）の４辺と斜角で交わる直線によって囲まれた四辺形の貫通孔（１２）が、吊り金具収納部（１５）の天井（６ｃ）に達するように穿設され、本体部（２）の四隅と、上脚部（４）及び下脚部（５）の本体部（２）の四隅から延出する部位には、貫通孔（１２）の一辺と平行な直線で切欠かれた切欠き面（１３）が設けられていることを特徴とする請求項２に記載の基本コンクリートブロック。
【請求項５】
上嵌入部（８）の中心には、その横断面形状が円形又は楕円形の貫通孔（１２）が、下嵌入部（１１）の天井（６ｂ）に達するように穿設され、本体部（２）の四隅と、上脚部（４）及び下脚部（５）の本体部（２）の四隅から延出する部位には、内側に向かって凸となっている円又は楕円の１／４の円弧状の切欠き面（１３）が設けられていることを特徴とする請求項１に記載する基本コンクリートブロック。
【請求項６】
上嵌入部（８）の中心には、その横断面形状が円形又は楕円形の貫通孔（１２）が、吊り金具収納部（１５）の天井（６ｃ）に達するように穿設され、本体部（２）の四隅と、上脚部（４）及び下脚部（５）の本体部（２）の四隅から延出する部位には、内側に向かって凸となっている円又は楕円の１／４の円弧状の切欠き面（１３）が設けられていることを特徴とする請求項２に記載の基本コンクリートブロック。
【請求項７】
上脚部（４）は、内側の二側面（９ａ），（９ｂ）の境界である辺（３１）を通り且つ側面（９ａ）と側面（９ｂ）との間の角度を二等分する鉛直面に対して左右対称の台形状の切欠き面（１６）を有し、下脚部（５）は、内側の二側面（１０ａ），（１０ｂ）の境界である辺（３２）を通り且つ側面（１０ａ）と側面（１０ｂ）との間の角度を二等分する鉛直面に対して左右対称の台形状の切欠き面（１７）を有し、上嵌入部（８）は、その側面（７ａ１）と側面（７ａ２）との境界部に下脚部（５）の切欠き面（１７）に対応するハンチ面（２６）を有し、下嵌入部（１１）は、その側面（７ｂ１）と側面（７ｂ２）との境界部に上脚部（４）の切欠き面（１６）に対応するハンチ面（２７）を有する、請求項３乃至６のいずれか一項に記載の基本コンクリートブロック。
【請求項８】
請求項１乃至７のいずれかに記載する基本コンクリートブロックであって同じもの２体を、同形状且つ同寸法の一側面を共通にして連結した後、一方の基本コンクリートブロックを連結した面と平行な面で且つ中央で切断した形状を有する、基本コンクリートブロック１．５体の端辺用コンクリートブロック。
【請求項９】
請求項８に記載する端辺用コンクリートブロックを、基本コンクリートブロック同士を連結した面と直交する面で且つ中央で切断した形状を有する、角部用コンクリートブロック。
【請求項１０】
マスコンクリート構造物の建設地に、請求項１又は２に記載する基本コンクリートブロックであって同じもの４個を、各ブロックにおいて二側面の境界である４本の辺の中の１本が中央に来るように集結させて一単位を構成させて第１のブロック層を構築し、ここで、第１のブロック層は、一単位以上を備えるものであり、且つ、一単位の平面形状は長方形であり、
次いで、第１のブロック層の各コンクリートブロックの上嵌入部に、第２のブロック層の構成要素となる１乃至４個のコンクリートブロックであって第１のブロック層を構成するものと同じものの各々に由来する１乃至４本の下脚部を挿入し且つ第２のブロック層の構成要素となる各コンクリートブロックの下嵌入部に、第１のブロック層の１乃至４個のコンクリートブロックの各々に由来する１乃至４本の上脚部を挿入して第２のブロック層を構築し、
第３のブロック層以降は第２のブロック層と同様にコンクリートブロックを積み上げることを特徴とするコンクリートブロックを用いたマスコンクリート構造物の構築方法。
【請求項１１】
マスコンクリート構造物の建設地に、請求項３乃至７のいずれかに記載する基本コンクリートブロックであって同じもの４個を、各ブロックの切欠き面を集結させることにより、その横断面形状が四辺形、円形又は楕円形の見掛け上の貫通孔を形成させて一単位を構成させ、第１のブロック層を構築し、ここで、第１のブロック層は、一単位以上を備えるものであり、且つ、一単位の平面形状は、切欠き面を有する長方形であり、
次いで、第１のブロック層の各コンクリートブロックの上嵌入部に、第２のブロック層の構成要素となる１乃至４個のコンクリートブロックであって第１のブロック層を構成するものと同じものの各々に由来する１乃至４本の下脚部を挿入し且つ第２のブロック層の構成要素となる各コンクリートブロックの下嵌入部に、第１のブロック層の１乃至４個のコンクリートブロックの各々に由来する１乃至４本の上脚部を挿入して第２のブロック層を構築し、これにより、第１のブロック層の貫通孔の上に、第２のブロック層のコンクリートブロックの見掛け上の貫通孔が重なり、
第３のブロック層以降は第２のブロック層と同様にコンクリートブロックを積み上げることを特徴とするコンクリートブロックを用いたマスコンクリート構造物の構築方法。
【請求項１２】
請求項１０又は１１に記載するコンクリートブロックを用いたマスコンクリート構造物の構築方法であって、偶数層のブロック層を積み上げるにあたり、マスコンクリート構造物の端辺には、請求項８に記載する端辺用コンクリートブロックを、その側面の中、基本コンクリートブロックの中央で切断した切断面に相当する側面がマスコンクリート構造物の端辺を構成するように配置し、マスコンクリート構造物の角部には請求項９に記載する角部用コンクリートブロックを配置することを特徴とする、マスコンクリート構造物の構築方法。
【請求項１３】
請求項１１又は１２に記載する方法でのマスコンクリート構造物の構築方法において、請求項３乃至７のいずれか一項に記載する基本コンクリートブロックを用い、さらに、少なくとも３層の連続するブロック層において、上層及び下層の貫通孔及び中間層の見掛け上の貫通孔を貫通するように剛性棒を挿入する工程を実施する、マスコンクリート構造物の構築方法。
【請求項１４】
請求項１乃至７のいずれかに記載する基本コンクリートブロックの、本体部（２）をその一側面（３Ａ）に平行な面で且つ中央で縦に切断してなる本体部（２）の１／２とした部分であって実質的に上嵌入部（８）を有さない部分（２ａ）と、二つの下脚部（５），（５）と、１／２とした部分（２ａ）の上面（１９）上に形成された傾斜部（７０）とを有する水撥ね部（５０）と、請求項１乃至７のいずれかに記載する基本コンクリートブロックであって１／２とした部分（２ａ）を提供したものと同じものをその一側面（３Ａ）に平行な面で且つ中央で縦に切断してなる他の１／２残部（６０）とを有し、水撥ね部（５０）と他の１／２残部（６０）とは、切断面同士で結合されてなる小段用コンクリートブロックであって、
傾斜部（７０）は、１／２とした部分（２ａ）の側面（３Ａ）から延出した側面（８０Ａ）と、１／２とした部分（２ａ）の側面（３Ａ）の両側に位置する側面（３Ｂ’），（３Ｂ’）の各々から延出した側面（８０Ｂ），（８０Ｂ）と、二つの側面（８０Ｂ），（８０Ｂ）を繋ぐ側面（８０Ｃ）と、上面（８０Ｄ）とを有し、ここで、基本コンクリートブロックが貫通孔（１２）を有する場合には、側面（８０Ｃ）の幅方向中央部に、当該貫通孔（１２）の大きさ及び形状を変化させないための鉛直方向の凹部（８０Ｅ）を有し、
ここで、側面（８０Ａ）は、その少なくとも一部が内側に傾斜しており、二つの側面（８０Ｂ），（８０Ｂ）の各々は、１／２とした部分（２ａ）の側面（３Ｂ’），（３Ｂ’）に共通する側面であり、側面（８０Ｃ）は、他の１／２残部（６０）の内側の面と水撥ね部（５０）の１／２とした部分（２ａ）の内側の面とが結合された位置よりも、水撥ね部５０の内側に若干後退した位置にあり、したがって、水撥ね部（５０）の１／２とした部分（２ａ）には、上嵌入部（８）は、前記結合された位置と前記若干後退した位置との間にしか存在せず、且つ、側面（８０Ｃ）は、上嵌入部（８）の底面（６ａ）まで延出しており、
但し、側面（８０Ａ）の下端は、１／２とした部分（２ａ）の上端より下方に存在していてもよく、
前記基本コンクリートブロックが切欠き面（１３）を有するものである場合には、水撥ね部（５０）には、側面（３Ａ）と側面（３Ｂ）との境界である辺を中心として左右対称であり且つ切欠き面（１３）と同一の幅を有する切欠き面（１３ａ）が存在し、その切欠き面（１３ａ）は、下脚部（５）から側面（８０Ａ）の下端までの部分に存在しており、
そして、傾斜部（７０）の高さは１／２とした部分（２ａ）の高さと同一乃至その１／３であることを特徴とする小段用コンクリートブロック。
【請求項１５】
請求項１乃至７のいずれかに記載する基本コンクリートブロックと同形状の基本コンクリートブロック部と、その基本コンクリートブロック部の本体部（２）をその一側面（３Ａ）に平行で且つ中央の面（３Ｃ）で縦に切断してなる本体部（２）の１／２とした部分であって上嵌入部（８）を有さない部分（２ｂ）、二つの下脚部（５），（５）、及び前記１／２とした部分（２ｂ）の上面（１９）上に形成された傾斜部（７５）を有する水撥ね部（５５）とを有し、前記基本コンクリートブロック部の一側面（３Ａ）と水撥ね部（５５）の一側面（３Ａ）とが結合されてなる小段用コンクリートブロックであって、
前記基本コンクリートブロック部が切欠き面（１３）を有するものである場合には、水撥ね部（５５）には、前記の結合された面（３Ａ）と側面（３Ｂ’）との境界である辺を中心として左右対称であり且つ切欠き面（１３）と同一の幅を有する切欠き面（１３ａ）が、下脚部（５）から１／２とした部分（２ｂ）を通って傾斜部（７５）の上端までの部分に存在しており、
基本コンクリートブロック部が貫通孔（１２）を有する場合には、水撥ね部（５５）の前記面（３Ｃ）の幅方向中央部に、切欠き面（１３ａ）を二つ結合したものと同様の部分（１２ａ）を有し、
傾斜部（７５）は、前記面（３Ｃ）から延出した側面（８５Ａ）と、前記面（３Ｃ）の両側に位置する側面（３Ｂ’），（３Ｂ’）の各々から延出した側面（８５Ｂ），（８５Ｂ）と、二つの側面（８５Ｂ），（８５Ｂ）を直接又は間接的に繋ぎ且つ前記の結合された面（３Ａ）に平行な側面（８５Ｃ）と、上面（８５Ｄ）とを有し、
ここで、側面（８５Ａ）は、その少なくとも一部が内側に傾斜しており、二つの側面（８５Ｂ），（８５Ｂ）の各々は、１／２とした部分（２ｂ）の側面（３Ｂ’），（３Ｂ’）に共通する側面であり、側面（８５Ｃ）は、前記の結合された面（３Ａ）よりも内側に若干後退した位置にあり、したがって、水撥ね部（５５）との結合部側に存在する基本コンクリートブロック部の二つの上脚部（４），（４）と上面部（１９）は、水撥ね部（５５）の側面（８５Ｃ）に結合するように延長されており、
但し、側面（８５Ａ）の下端は、１／２とした部分（２ｂ）の上端より下方に存在していてもよく、
そして、傾斜部（７５）の高さは、１／２とした部分（２ｂ）の高さと同一乃至その１／３であることを特徴とする１．５体の小段用コンクリートブロック。
【請求項１６】
請求項１０又は１１に記載する方法でのマスコンクリート構造物の構築方法において、堰堤水通し部には、請求項１４に記載の小段用コンクリートブロック及び／又は請求項１５に記載の１．５体の小段用コンクリートブロックを配置することを特徴とする請求項１０又は１１に記載するコンクリートブロックを用いたマスコンクリート構造物の構築方法。
【発明の詳細な説明】
【技術分野】
【０００１】
本発明は、堰堤、コンクリート堤防、擁壁、堤防法面下部の土留擁壁等のマスコンクリート構造物を構築するためのコンクリートブロックであって、コンクリートブロック同士を前後左右及び上下に密に接触させて配置することができ、且つ互いに上下方向に堅固に嵌合させることで、これらを堅牢に固定することが可能なコンクリートブロック（以下、単に「ブロック」と称することがある）と、そのようなコンクリートブロックを、堅固に、安全に、短期間に、簡単に積み上げるマスコンクリート構造物の構築方法に関する。
【背景技術】
【０００２】
一般に山間部は地形条件が悪く、交通の便が悪く、資材の運搬やコンクリートの打設作業も困難である。また、山間僻地の治山、治水作業現場は、急斜面や狭い谷底であり、転落、斜面崩壊、落石、鉄砲水などが発生する可能性のある危険な場所である。従来は、このような危険な場所に人が立入り、堰堤や擁壁等のマスコンクリート構造物を構築していた。これは非常に危険な作業であり、短期間に作業を終了させることが安全に繋がっていた。また、災害緊急対策工事等の場合には、現地における作業ヤードの確保が困難であるとか、現地における作業可能な時間が非常に短い等、悪条件下での作業が必要とされることが多かった。また、演習場内の工事では、１年間に確保できる工期が大変短く、小規模な工事でも竣工までに数年を要していた。そこで、予め別の作業条件の良い場所でコンクリートブロックを製造し、それを現場に運搬して積み上げれば、現地での作業が安全に、しかも簡単且つ短時間で済むようになる。
【０００３】
上記の観点から、別の場所で製造されたコンクリートブロックを積み上げることによって構築物とする技術が提案された。例えば特許文献１乃至３には、上面に二つの凸部、下面に二つの凹部を有し、それらのブロックの凸部と凹部とを係合させて積み上げる、擁壁や護岸壁形成用のコンクリートブロックが開示されている。特許文献１乃至３には、これらのブロックを上下段で半単位（幅方向半分）ずつずらして積み上げることにより、擁壁や護岸壁等の壁面を構築することも記載されている。
【０００４】
しかし、特許文献１乃至３に開示されたブロックは、いずれも上下及び左右にのみ積み上げられるもの、すなわち壁面構築用のものであり、前後に、すなわち厚みが要求されるマスコンクリート構造物の構築における使用は考慮されておらず、したがって、そのような用途に使用するのに十分な構造となってはいない。
【先行技術文献】
【特許文献】
【０００５】
【特許文献１】特開２００９−４５７９７
【特許文献２】特開２０００−２９１０２９
【特許文献３】特開平０７−１３８９６８
【発明の概要】
【発明が解決しようとする課題】
【０００６】
治山、治水のためにマスコンクリート構造物を構築するに際し、その場所が山間部の急斜面や狭い谷底である場合には、転落、斜面崩壊、落石、鉄砲水などで、作業を行う場所自体が危険であり、作業を行う人が居るだけでも危険である。そこで、本発明者らは、作業工程を分析検討し、実際に人が現地で行わなければならない作業のみを現地で行うマスコンクリート構造物の構築方法について研究した。その結果、前後左右及び上下に密に接触させて配置することができ、互いに上下方向に堅固に嵌合可能な形状で、結果として前後左右のブロックも堅牢に固定でき、例えば軽トラックや小型トラックで運搬できる程度の大きさのブロックを、コンクリートの打設が容易な場所で製造すれば、現場では、そのようなブロックを単に載置する、或いは積み上げる作業のみを行うことで、堅固に、安全に、短期間に、簡単に、空隙率が小さく、堅牢で且つ見かけの比重が大きいマスコンクリート構造物を構築することができるとの結論に達した。
【０００７】
そこで、本発明者らは、マスコンクリート構造物、特に、堅牢で且つ見かけの比重が大きいマスコンクリート構造物を構築するためのコンクリートブロックであって、各ブロックを前後左右及び上下に密に接触させて配置することができ、且つ互いに上下方向に堅固に嵌合することができるコンクリートブロックと、そのようなコンクリートブロックを用いる、隣接する上下の層ごとにブロックの平面形の位置を前後左右にブロック半個ずつずらせて配置すること、ブロック同士を上下方向に堅固に嵌合すること、及びブロック同士を前後左右及び上下に密に接触させて配置することができるマスコンクリート構造物の構築方法について鋭意検討し、本発明を完成するに至った。
【課題を解決するための手段】
【０００８】
すなわち本発明は、直方体形状の本体部２と、本体部２の上面１９の四隅から延出する四角錐台形状の４本の上脚部４，４，４，４と、本体部２の下面２０の四隅から延出する逆四角錐台形状の４本の下脚部５，５，５，５とを有する基本コンクリートブロックに関する。前記本体部２は、その上面１９の中央部には逆四角錐台形状の上嵌入部８を、下面２０の中央部には四角錐台形状の下嵌入部１１を有する。前記４本の上脚部４，４，４，４は、互いに同形状且つ同じ大きさである。但し、方向は異なる。前記４本の上脚部４，４，４，４の各々は、本体部２の側面３Ａ，３Ｂに各々共通する側面９ｃ，９ｄと、側面９ｃに隣接する内側の側面９ｂ及び側面９ｄに隣接する内側の側面９ａとを有する。前記４本の下脚部５，５，５，５の各々は、本体部２の側面３Ａ，３Ｂに各々共通する側面１０ｃ，１０ｄと、側面１０ｃに隣接する内側の側面１０ｂ及び側面１０ｄに隣接する内側の側面１０ａとを有する。但し、本体部２は、ブロックの配置に方向性が出ないために、その水平横断面（又は平面）形状が正方形の直方体であり、且つ、上脚部４及び下脚部５、上嵌入部８及び下嵌入部１１も、各々、その水平横断面（又は平面）形状が正方形であることが好ましい。
【０００９】
前記本発明の基本コンクリートブロックにおいて、上嵌入部８の底面６ａは、本体部２の上面１９と平行であり、上嵌入部８の上端である外周の位置は、上嵌入部８が上脚部４，４，４，４と重ならず且つ当該外周を形成する四辺すべての外側に上面１９が存在することが必要であり、上嵌入部８の側面７ａ１，７ａ２の傾斜角は、各々、下脚部５の内側の側面１０ａ，１０ｂの傾斜角と同一の角度である。ここで、上脚部４，４，４，４が上面１９の四隅から延出しているとの記載からも明らかなように、「上面１９」の定義には、上脚部４，４，４，４が存在する部分、換言すれば、上脚部４の底面も含まれる。また、「上嵌入部８が上脚部４，４，４，４と重ならず」とは、上脚部４，４，４，４の下に上嵌入部８が潜り込まないことをいう。
【００１０】
同様に、下嵌入部１１の天井６ｂは、本体部２の下面２０と平行であり、下嵌入部１１の下端である外周の位置は、下嵌入部１１が下脚部５，５，５，５と重ならず且つ当該外周を形成する四辺すべての外側に下面２０が存在することが必要であり、下嵌入部１１の側面７ｂ１，７ｂ２の傾斜角は、各々、上脚部４の内側の側面９ａ，９ｂの傾斜角と同一の角度である。ここで、下脚部５，５，５，５が下面２０の四隅から延出しているとの記載からも明らかなように、「下面２０」の定義には、下脚部５，５，５，５が存在する部分、換言すれば、下脚部５の天井も含まれる。また、「下嵌入部１１が下脚部５，５，５，５と重ならず」とは、下脚部５，５，５，５の上に下嵌入部８が潜り込まないことをいう。
【００１１】
上嵌入部８の上端である外周の位置は、４本の上脚部４，４，４，４の中、隣り合う２本の上脚部４，４の底面の内側角部ｘ，ｘ同士を結ぶ直線と同じであるか又はそれよりも内側であることが好ましく、内側角部ｘ，ｘ同士を結ぶ直線と同じであることが特に好ましい。また、下嵌入部１１の下端である外周の位置は、４本の下脚部５，５，５，５の中、隣り合う２本の下脚部５，５の天井面の内側角部ｙ，ｙ同士を結ぶ直線と同じであるか又はそれよりも内側であることが好ましく、内側角部ｙ，ｙ同士を結ぶ直線と同じであることが特に好ましい。
【００１２】
前記本発明の基本コンクリートブロックにおいて、上嵌入部８の形状は、４個のコンクリートブロックにおける各々１本の下脚部５，５，５，５を、下脚部５の外側の二側面１０ｃ，１０ｄの境界である辺４２が中央に来るように集結させたものの形状とほぼ同じである。上嵌入部８の深さは、下脚部５の高さよりも大きく（好ましくはやや大きく）、上嵌入部８の大きさは、４個のコンクリートブロックにおける各々１本の下脚部５，５，５，５を、下脚部５の外側の二側面１０ｃ，１０ｄの境界である辺４２が中央に来るように集結させた大きさよりも大きく（好ましくはやや大きく）、したがって、上嵌入部８には、４個のコンクリートブロックにおける各々１本の下脚部５，５，５，５を、下脚部５の外側の二側面１０ｃ，１０ｄの境界である辺４２が中央に来るように集結させて挿入することができる。また、下嵌入部１１の形状は、４個のコンクリートブロックにおける各々１本の上脚部４，４，４，４を、上脚部４の外側の二側面９ｃ，９ｄの境界である辺４１が中央に来るように集結させたものの形状とほぼ同じである。下嵌入部１１の深さは、上脚部４の高さよりも大きく（好ましくはやや大きく）、下嵌入部１１の大きさは、４個のコンクリートブロックにおける各々１本の上脚部４，４，４，４を、上脚部４の外側の二側面９ｃ，９ｄの境界である辺４１が中央に来るように集結させた大きさよりも大きく（好ましくはやや大きく）、したがって、下嵌入部１１には、４個のコンクリートブロックにおける各々１本の上脚部４，４，４，４を、上脚部４の外側の二側面９ｃ，９ｄの境界である辺４１が中央に来るように集結させて挿入することができる。
【００１３】
上記の上嵌入部８の深さと下脚部５の高さとの関係、及び、上嵌入部８の容積と４本の下脚部５，５，５，５の総容積との関係は、上嵌入部８に４個のコンクリートブロックにおける各々１本の下脚部５，５，５，５が上記のように挿入できるという条件の下、略同一であること、具体的には、上嵌入部８の深さが下脚部５の高さよりもやや大きく、上嵌入部８の大きさが４本の下脚部５，５，５，５の総容積よりもやや大きいことが好ましい。すなわち、土木工事の施工の観点から、これらの関係が全く同一の大きさであると、マスコンクリート構造物を構築するブロックの積み上げ作業に当たって、上嵌入部８に４個の下脚部５，５，５，５を挿入することが殆ど困難となるが、一方、大きさの相違が大きすぎると、すなわち、上嵌入部８の大きさに対して相対的に下脚部５の大きさが小さすぎると、下脚部５のせん断強度が不足したり、コンクリートブロックを上下方向に嵌合させたときに空隙が多すぎて、マスコンクリート構造物全体としての比重が小さくなってしまうからである。基本コンクリートブロックを積み上げたマスコンクリート構造物の容積空隙率は、当該構造物の見掛けの比重を大きくし且つ安定性を大きくするため、ブロックの製作誤差、ブロックを配置する基礎面の凹凸、及びブロックの積上げ施工に必要な余裕に配慮すると、５乃至１５容積％であることが好ましく、５乃至１０容積％であることがさらに好ましい。なお、マスコンクリート構造物の見掛けの比重を大きくするためには、工事施工に支障が生じないことを条件に、上記容積空隙率を０容積％に近付けることが特に好ましい。
【００１４】
ここで、上脚部４の形状は四角錐台、下脚部５の形状は逆四角錐台と規定しているが、後記するように、直線で切り欠かれた切欠き面を有する態様では、その切欠いた個所も一辺と数えれば（逆）五角錐台又は（逆）六角錐台ということができる。また、曲線で切り欠かれた切欠き面を有する態様は、厳密には角錐台と呼称することはできない。しかし、本願明細書においては、上脚部４や下脚部５の形状の名称に関しては、切欠き面（これは、「面取り」ということもできる）は一辺としては数えずに、四角錐台、逆四角錐台と呼称する。
【００１５】
上記基本コンクリートブロックにおいて、下嵌入部１１を更に深く穿設して吊り金具収納部１５を設けてもよい。
【００１６】
上記基本コンクリートブロックは、上嵌入部８の中心には、その横断面形状が上嵌入部８の底面６ａの４辺と斜角で、すなわち、ある角度をもって交わる直線によって囲まれた四辺形の貫通孔１２が、下嵌入部１１の天井６ｂに達するように又は吊り金具収納部１５の天井６ｃに達するように穿設され、本体部２の四隅と上脚部４及び下脚部５の本体部２の四隅から延出する部位には、各々が貫通孔１２の一辺と平行な直線で切欠かれた４個所の切欠き面１３，１３，１３，１３が設けられているものであってもよい。また、貫通孔１２の各辺と底面６ａの各辺との角度、及び、切欠き面１３とブロックの外周面を構成する各辺との角度は、４５°であることが最も好ましい。
【００１７】
上記基本コンクリートブロックは、上嵌入部８の中心には、その横断面形状が円形又は楕円形の貫通孔１２が、下嵌入部１１の天井６ｂに達するように又は吊り金具収納部１５の天井６ｃに達するように穿設され、本体部２の四隅と上脚部４及び下脚部５の本体部２の四隅から延出する部位には、各々が内側に向かって凸となっている円又は楕円の１／４の円弧状の切欠き面１３，１３，１３，１３が設けられているものであってもよい。
【００１８】
上記基本コンクリートブロックは、上嵌入部８の中心には、その横断面形状が上嵌入部８の底面６ａの４辺と斜角で、すなわち、ある角度（好ましくは４５°）をもって交わる直線によって囲まれた四辺形の貫通孔１２が、下嵌入部１１の天井６ｂに達するように又は吊り金具収納部１５の天井６ｃに達するように穿設され、本体部２の四隅と上脚部４及び下脚部５の本体部２の四隅から延出する部位には、各々が内側に向かって凸となっている円又は楕円の１／４の円弧状の切欠き面１３，１３，１３，１３が設けられているものであってもよい。
【００１９】
上記基本コンクリートブロックは、上嵌入部８の中心には、その横断面形状が円形又は楕円形の貫通孔１２が、下嵌入部１１の天井６ｂに達するように又は吊り金具収納部１５の天井６ｃに達するように穿設され、本体部２の四隅と上脚部４及び下脚部５の本体部２の四隅から延出する部位には、各々が直線で切欠かれた切欠き面１３，１３，１３，１３が設けられているものであってもよい。
【００２０】
上記の切欠き面１３，１３，１３，１３が設けられている基本コンクリートブロックが、さらに、各上脚部４には内側の二側面９ａ，９ｂの境界である辺３１を通り且つ側面９ａと側面９ｂとの間の角度を二等分する鉛直面に対して左右対称の台形状の切欠き面１６があり、各下脚部５には内側の二側面１０ａ，１０ｂの境界である辺３２を通り且つ側面１０ａと側面１０ｂとの間の角度を二等分する鉛直面に対して左右対称の台形状の切欠き面１７があり、上嵌入部８は、その側面の四隅の各々に、すなわち、側面７ａ１と側面７ａ２との境界部に、下脚部５の切欠き面１７に対応するハンチ面２６を有し、下嵌入部１１は、その側面の四隅の各々に、すなわち、側面７ｂ１と側面７ｂ２との境界部に、上脚部４の切欠き面１６に対応するハンチ面２７を有するものであってもよい。
【００２１】
ここで、「ハンチ部面２７」は、「上脚部４の切欠き面１６に対応する」のであるが、これは、４本の上脚部４，４，４，４が下嵌入部１１に入ることができるという条件の下、ハンチ面２７の形状が上脚部４の切欠き面１６の形状と略同一であり、ハンチ面２７の大きさが上脚部４の切欠き面１６の大きさよりもやや大きく、ハンチ面２７の傾斜角度は上脚部４の切欠き面１６の傾斜角度と略同一であることを意味する。また、「下脚部（５）の切欠き面１７に対応するハンチ面２６」も同様である。
【００２２】
本発明は、上記いずれかの基本コンクリートブロックであって同じもの２体を、同形状且つ同寸法の一側面を共通にして連結した後、一方の基本コンクリートブロックを、連結した面と平行な面で且つ中央で切断した形状を有する、基本コンクリートブロック１．５体の端辺用コンクリートブロックにも関する。なお、切断する個所は「中央」であるが、これは、「厳密に中央」である場合のみならず、「中央付近」である場合をも含み、したがって、「１．５体」も「約１．５体」を意味する。
【００２３】
さらに、本発明は、上記の端辺用コンクリートブロックを、基本コンクリートブロック同士を連結した面と直交する面で且つ中央で切断した形状を有する、角部用コンクリートブロックにも関する。角部用コンクリートブロックには、切断した面に対して対称な二種類が存在する。「中央」の意味は、端辺用コンクリートブロックの場合と同様である。
【００２４】
上記の本発明に係るコンクリートブロックは、粗骨材の一部又は全部に電気炉酸化スラグを使用してなるもの、及び／又は、細骨材の一部又は全部に銅スラグを使用してなるものであってもよい。
【００２５】
本発明は、マスコンクリート構造物の建設地に、本発明の基本コンクリートブロックであって、本体部の四隅に切欠き面を有さないコンクリートブロックであって同じもの４個を、各ブロックにおいて二側面の境界である４本の辺の中の１本が中央に来るように集結させて一単位を構成させて第１のブロック層を構築し、ここで、第１のブロック層は、一単位以上を備えるものであり、且つ、一単位の平面形状は長方形（ここでは、「正方形」を含む意味で使用されている）であり、次いで、第１のブロック層の各コンクリートブロックの上嵌入部に、第２のブロック層の構成要素となる１乃至４個のコンクリートブロックであって第１のブロック層を構成するものと同じものの各々に由来する１乃至４本の下脚部を挿入し且つ第２のブロック層の構成要素となる各コンクリートブロックの下嵌入部に、第１のブロック層の１乃至４個のコンクリートブロックの各々に由来する１乃至４本の上脚部を挿入して第２のブロック層を構築し、第３のブロック層以降は第２のブロック層と同様にコンクリートブロックを積み上げることを特徴とするコンクリートブロックを用いたマスコンクリート構造物の構築方法に関する。
【００２６】
本発明は、マスコンクリート構造物の建設地に、本体部の四隅に切欠き面を有する本発明の基本コンクリートブロックであって同じもの４個を、各ブロックの本体部四隅の切欠き面を集結させることにより、その横断面形状が四辺形、円形又は楕円形の見掛け上の貫通孔を形成させて一単位を構成させ、第１のブロック層を構築し、ここで、第１のブロック層は、一単位以上を備えるものであり、且つ、一単位の平面形状は切欠き面を有する長方形（ここでは、「正方形」を含む意味で使用されている）であり、次いで、第１のブロック層の各コンクリートブロックの上嵌入部に、第２のブロック層の構成要素となる１乃至４個のコンクリートブロックであって第１のブロック層を構成するものと同じものの各々に由来する１乃至４本の下脚部を挿入し且つ第２のブロック層の構成要素となる各コンクリートブロックの下嵌入部に、第１のブロック層の１乃至４個のコンクリートブロックの各々に由来する１乃至４本の上脚部を挿入して第２のブロック層を構築し、これにより、第１のブロック層の貫通孔の上に、第２のブロック層のコンクリートブロックの見掛け上の貫通孔が重なり、第３のブロック層以降は第２のブロック層と同様にコンクリートブロックを積み上げることを特徴とするコンクリートブロックを用いたマスコンクリート構造物の構築方法にも関する。
【００２７】
上記いずれの構築方法であっても、構築されるマスコンクリート構造物は、コンクリートブロック層の縦横の端部それぞれにおいて、コンクリートブロック層一層につき、下層から上層に向かって基本コンクリートブロックの幅の１／２ずつ減少しているか又は増加しているものとなる。即ち、マスコンクリート構造物の外縁部は、階段状又は逆階段状となる。
【００２８】
さらに、本発明のコンクリートブロックを用いたマスコンクリート構造物の構築方法は、上記いずれかの構築方法において、偶数層のブロック層を積み上げるにあたり、マスコンクリート構造物の端辺には、前記基本コンクリートブロック１．５体の端辺用コンクリートブロックを、その側面の中、基本コンクリートブロックの中央で切断した切断面に相当する側面がマスコンクリート構造物の端辺を構成するように配置し、マスコンクリート構造物の角部には前記角部用コンクリートブロックを配置することを包含する方法であってもよい。このような方法では、その外縁壁が鉛直であるマスコンクリート構造物を構築することができる。
【００２９】
本発明は、上記した基本コンクリートブロックの中のいずれかの、本体部２をその一側面３Ａに平行な面で且つ中央で縦に切断してなる本体部２の１／２とした部分であって実質的に上嵌入部８を有さない部分２ａ（以下、「１／２とした部分２ａ」という）と、二つの下脚部５，５と、前記１／２とした部分２ａの上面１９上に形成された傾斜部７０とを有する水撥ね部５０と、上記した基本コンクリートブロックの中のいずれか（但し、１／２とした部分２ａを提供した基本コンクリートブロックと同じもの）をその一側面３Ａに平行な面で且つ中央で縦に切断してなる他の１／２残部６０とを有し、水撥ね部５０と他の１／２残部６０とが切断面同士で結合されてなる小段用コンクリートブロックにも関する。他の１／２残部６０は、基本コンクリートブロックを側面３Ａに平行な面で且つ中央で縦に切断してなる基本コンクリートブロックの１／２とした部分であるから、それぞれ２本の上脚部４，４及び下脚部５，５と、上嵌入部８の半分及び下嵌入部１１の半分を有する１／２本体部２からなる。
【００３０】
上記の小段用コンクリートブロックにおいて、傾斜部７０は、１／２とした部分２ａの側面３Ａから延出した側面８０Ａと、１／２とした部分２ａの側面３Ａの両側に位置する側面３Ｂ’,３Ｂ’の各々から延出した側面８０Ｂ，８０Ｂと、二つの側面８０Ｂ，８０Ｂを繋ぐ側面８０Ｃと、上面８０Ｄとを有する。基本コンクリートブロックが貫通孔１２を有する場合には、側面８０Ｃの幅方向中央部に、当該貫通孔１２の大きさ及び形状を変化させないための鉛直方向の凹部８０Ｅを有する。また、側面８０Ａは、その少なくとも一部（例えばその下方を除いた部分、或いはその上方を除いた部分）、好ましくは全部が内側に傾斜しており、二つの側面８０Ｂ，８０Ｂの各々は、１／２とした部分２ａの側面３Ｂ’,３Ｂ’に共通する側面であり、側面８０Ｃは、他の１／２残部６０の内側の面（切断面）と水撥ね部５０の１／２とした部分２ａの内側の面（切断面）とが結合された位置よりも、水撥ね部５０の内側に若干後退した位置にある。また、側面８０Ｃは、上嵌入部８の底面６ａまで延出している。小段用コンクリートブロックの上嵌入部８は、他の１／２残部６０側から、水撥ね部５０の１／２とした部分２ａ側に、側面８０Ｃに結合するように若干延長されている。換言すれば、水撥ね部５０の１／２とした部分２ａには、上嵌入部８は、前記結合された位置と前記若干後退した位置との間にのみ存在する。なお、側面８０Ａの下端は、１／２とした部分２ａの上端より下方に存在していてもよい。
【００３１】
前記基本コンクリートブロックが切欠き面１３を有するものである場合には、水撥ね部５０の外周の二隅には、側面３Ａと側面３Ｂ’との境界である辺を通り、側面３Ａと側面３Ｂ’との角度を二等分する鉛直面に対して左右対称であり、且つ切欠き面１３と同一の幅を有する切欠き面１３ａが、下脚部５から側面８０Ａの下端までの部分に存在している。そして、傾斜部７０の高さは、通常は１／２とした部分２ａの高さと同一乃至その１／３であり、好ましくは１／２とした部分２ａの高さと同一乃至その１／２であり、且つ、傾斜面８０Ａの勾配（すなわち、水平面からの立ち上がり勾配）は、３５度乃至７０度であることが望ましく、４５度乃至６０度であることがさらに望ましい。
【００３２】
本発明は、上記した基本コンクリートブロックの中のいずれかと同形状の基本コンクリートブロック部と、当該基本コンクリートブロック部の本体部２をその一側面３Ａに平行で且つ中央の面３Ｃで縦に切断してなる本体部２の１／２とした部分であって上嵌入部８を有さない部分２ｂ（以下、「１／２とした部分２ｂ」という）、二つの下脚部５，５、及び１／２とした部分２ｂの上面１９上に形成された傾斜部７５とを有する水撥ね部５５とを有し、前記基本コンクリートブロック部の一側面３Ａと水撥ね部５５の一側面３Ａとが結合されてなる１．５体の小段用コンクリートブロックにも関する。
【００３３】
上記の１．５体の小段用コンクリートブロックにおいて、基本コンクリートブロック部が貫通孔１２を有する場合には、水撥ね部５５の前記面３Ｃ（これは、小段用のコンクリートブロックにおいては外側面に位置する）の幅方向中央部に、後記する切欠き面１３ａを二つ結合したものと同様の部分１２ａを有する。この部分１２ａは、見掛け上の貫通孔１４を構成することとなる。
【００３４】
傾斜部７５は、前記面３Ｃから延出した側面８５Ａと、前記面３Ｃの両側に位置する側面３Ｂ’,３Ｂ’の各々から延出した側面８５Ｂ，８５Ｂと、二つの側面８５Ｂ，８５Ｂを直接又は間接的に繋ぎ且つ前記の結合された面３Ａに平行な側面８５Ｃと、上面８５Ｄとを有し、ここで、側面８５Ａは、その少なくとも一部（例えばその下方を除いた部分、或いはその上方を除いた部分）、好ましくは全部が内側に傾斜しており、二つの側面８５Ｂ，８５Ｂの各々は、１／２とした部分２ｂの側面３Ｂ’,３Ｂ’に共通する側面であり、側面８５Ｃは、前記の結合された面３Ａよりも水撥ね部５５側において内側に若干後退した位置にあり、したがって、基本コンクリートブロック部の水撥ね部５５との結合部側に存在する、二つの上脚部４，４と上面部１９は、水撥ね部５５の側面８５Ｃに結合するように延長されている。但し、側面８５Ａの下端は、１／２とした部分２ｂの上端より下方に存在していてもよい。
【００３５】
前記基本コンクリートブロック部が切欠き面１３を有するものである場合には、水撥ね部５５には、前記の結合された面３Ａと側面３Ｂ’との境界である辺を通り、側面３Ａと側面３Ｂ’との角度を二等分する鉛直面に対して左右対称であり且つ切欠き面１３と同一の幅を有する切欠き面１３ａが存在する。切欠き面１３及び１３ａは見掛け上の貫通孔となる。その切欠き面１３ａは、下脚部５から１／２とした部分２ｂを通って傾斜部７５の上端までの部分に存在している。そして、傾斜部７５の高さは、通常は、１／２とした部分２ｂの高さと同一乃至その１／３であり、好ましくは１／２とした部分２ｂの高さと同一乃至その１／２であり、且つ、傾斜面８５Ａの勾配（すなわち、水平面からの立ち上がり勾配）は、３５度乃至７０度であることが望ましく、４５度乃至６０度であることがさらに望ましい。
【００３６】
さらに、本発明は、上記したマスコンクリート構造物の構築方法において、堰堤水通し部には、上記した小段用コンクリートブロックと１．５体の小段用コンクリートブロックのいずれか又は両者を配置することを特徴とするマスコンクリート構造物の構築方法にも関する。
【００３７】
本発明に係るコンクリートブロックの寸法や形状は、土木工事での使用に支障のない限り、正確でなくてもよい。また、上記のマスコンクリート構造物の構築方法は、土木工事であるから、例えば、相互のブロックの同形状の側面同士を互いに接触させるに際し、側面同士が完全に接触せず、概ね接触している状態であってもよく、コンクリートブロックの層を建設する際のコンクリートブロックの配置も、完全に水平ではなく、概ね水平に配置されていればよい。さらに、例えば、第一のブロック層における貫通孔の位置と第二のブロック層における見掛け上の貫通孔の位置とは、概ね同じ位置であればよい。また、上嵌入部の側面の傾斜角と下脚部の内側の二側面の傾斜角とは、マスコンクリート構造物の構築に支障のない範囲で略同一であればよい。下嵌入部の側面の傾斜角と上脚部の内側の二側面の傾斜角との関係も同様である。さらに、上脚部や下脚部の内側の切欠き面と、下嵌入部や上嵌入部のハンチ面との対応関係も、コンクリート構造物の構築に支障のない範囲で、下嵌入部に上脚部を、また上嵌入部に下脚部を挿入することができるような同一性、対応性があればよい。加えて、「直方体」、「長方形」、「四辺形」、「円」、「楕円」等の形状を示す用語や、「平行」、「同一」、「中央」等の位置を表す用語も、それらの用語の厳密な意味のみではなく、土木工事での使用に支障のない限りにおいて、大凡そのような形状であるとか大凡そのような位置である場合を含む用語として用いている。
【００３８】
上記いずれかのマスコンクリート構造物の構築方法において、本体部の四隅に切欠き面を有するコンクリートブロックを用いた場合には、第１のブロック層の貫通孔の平面位置は、第３のブロック層の貫通孔の平面位置に重なる。したがって、本体部の四隅に切欠き面を有するコンクリートブロックを用いた場合には、一段おきに交互に重なった貫通孔と見掛け上の貫通孔を通して、剛性棒を挿入することが出来るので、さらに、少なくとも３層の連続するブロック層において、見掛け上の貫通孔を中に挟んで、上層の貫通孔の上端と下層の貫通孔の下端とを結んで剛性棒を挿入し、上下方向のブロックを連結する工程を実施することが好ましい。
【００３９】
具体的には、例えば、マスコンクリート構造物を積み上げた後、貫通孔及び見掛け上の貫通孔に、剛性棒を全ての層を貫通するように挿入する工程を実施する。或いは、コンクリートブロック層を３層積み上げる毎に、貫通孔及び見掛け上の貫通孔に剛性棒を挿入する、すなわち３層を一組として上下のコンクリートブロックを剛性棒で連結する工程を実施する。平面的にみると、貫通孔と見掛け上の貫通孔とが交互に現れる。従って、３層を一組としてコンクリートブロックを剛性棒で連結する場合、選択される３層（一組）は、隣接する孔間で、一層ずれる。なお、剛性棒で連結するのは３層又は全ての層に限定されず、例えば５層や７層を一組として剛性棒で連結してもよいことは勿論である。
【００４０】
また、例えば、あるブロック層において、ある貫通孔を有するブロックが、剛性棒によってそのブロック層よりも下に位置するブロック層のブロックと結合される場合、その隣に位置するブロックは、剛性棒によってそのブロック層よりも上に位置するブロック層のブロックと結合されるというように、一つの層の中に、その層よりも上層のブロックと結合されたブロックと、その層よりも下層のブロックと結合されたブロックとが存在するように、剛性棒での連結を行うことも好ましい。より具体的に説明すると、剛性棒は、第１のブロック層の貫通孔、第２のブロック層の見掛け上の貫通孔及び第３のブロック層の貫通孔を貫通してそれらの層を構成するブロックを連結するが、他の剛性棒は、第３のブロック層の貫通孔、第４のブロック層の見掛け上の貫通孔及び第５のブロック層の貫通孔を貫通してそれらの層を構成するブロックを連結するというような構成である。
【発明の効果】
【００４１】
本発明により、危険な場所で人間が作業する時間を極端に短縮でき、安全性を大幅に向上させることに成功した。本発明に係るコンクリートブロックを使用すれば、軽トラックや小型トラックを用いて、或いはロープと滑車とを用いて、場合によってはヘリコプターを用いて、ブロックを運搬し、現場では、単に載置する、或いは積み上げる作業のみを行っても、全体が一体化した、堅固な堰堤、擁壁、堤防あるいは堤防法面下部の土留擁壁等のマスコンクリート構造物を構築することができる。そして、本発明の構築方法は、コンクリートが硬化しがたい寒冷地や作業可能な時間が１日の中の短時間に限定されている、例えば災害の緊急・応急復旧工事や山間僻地や演習場のような場所での工事にも対応することができる。さらに、構築されたマスコンクリート構造物は、必要な場合にはクレーン作業のみで解体することも可能である。本発明のマスコンクリート構造物の構築方法では、上脚部は上層に隣接するブロックの下嵌入部に、下脚部は下層に隣接するブロックの上嵌入部に挿入されるので、ブロック同士が互いに堅固に上下方向に嵌合しあっており且つブロック同士が前後左右及び上下に密に接触して配置された堅牢なマスコンクリート構造物が、安全に、短期間に、簡単に構築される。この際、ブロックを密に積み上げて容積空隙率を小さくすれば、見かけの比重の大きなマスコンクリート構造物を構築することができる。
【００４２】
本発明の方法では、使用する一つ一つのコンクリートブロックは、マスコンクリート構造物全体の大きさと比べると、非常に小さい（例えば、重量を２ｔ以下とすることができる）ので、現場では、ロボットによる施工も可能である。本発明のマスコンクリート構造物の構築方法では、コンクリートブロック同士が堅固に上下方向に嵌合しあうので、堅牢なマスコンクリート構造物を構築することができる。また、コンクリートブロックの製造に際し、コンクリートブロック同士を嵌合させた後の容積空隙率（具体的には、基礎地盤面の凹凸均しやブロックの前後左右上下の隙間を少なくする組み立て施工精度の他、上嵌入部の容積と４本の下脚部の総容積との差の、上嵌入部の容積に対する割合や、同様に、下嵌入部の容積と４本の上脚部の総容積との差の、下嵌入部の容積に対する割合を考慮したもの）が小さくなるように、究極的には、ブロック製作及び施工における精度を高めれば、見掛け比重が大きいマスコンクリート構造物を構築することが可能となる。そのため、マスコンクリート構造物の横断面積を、従来のものに比べて小さくすることができ、これは、コスト削減にも繋がる。そして、本発明の方法で構築された構造物は、一つの大きな一体化したコンクリート構造物に近い強度を発揮し得る。
【００４３】
さらに、本発明のコンクリートブロックを用いれば、マスコンクリート構造物の工事現場において、その現場の形状や大きさ（広さ）に応じて、随時、マスコンクリート構造物の形状や大きさを自由自在に設計できると共に、工事完成後においても設計変更が可能である。具体的には、使用するコンクリートブロックの数を増減させたり、端辺用や角部用のコンクリートブロックを使用したりしなかったりすることで、現場に応じた任意の高さ・法勾配・断面のマスコンクリート構造物を構築することができる。
【００４４】
本発明の方法の実施のために使用するコンクリートブロックの製造に際し、使用する型枠片はかなりの部分が共通しているため、型枠片を効率的に使用することができる。
【００４５】
コンクリートブロックの製造に際し、粗骨材として電気炉酸化スラグを配合したり、細骨材として銅スラグを配合することにより、コンクリート自体の比重を高めることができる。このようなコンクリートブロックを使用すれば、マスコンクリート構造物の比重が増大し、より安定なものとなる。また、コンクリート自体の比重を大きくすれば、構築するマスコンクリート構造物の横断面積を従来のものに比べてさらに小さくすることが可能となるので、設計・施工コストをさらに低減させることも可能となる。
【００４６】
貫通孔を有するコンクリートブロックを使用し、この貫通孔と見掛け上の貫通孔を貫通するように綱棒を挿入する態様においては、上下のコンクリートブロック間の結合が一層強固となる。
【００４７】
また、本体部四隅の切欠き面や上脚部及び下脚部の内側の二側面の境界を中心として切り欠いた切欠き面を有するコンクリートブロックや、あるいは上嵌入部や下嵌入部の角部にハンチ面を有するコンクリートブロックを使用した場合には、角部における応力集中が緩和されるので、コンクリートブロック角部の欠けやクラックを、防止又は減少させることができる。
【図面の簡単な説明】
【００４８】
【図１】図１は、本発明の基本コンクリートブロックの一例を示す斜視図である。
【図２】図２は、図１のコンクリートブロックの平面図である。
【図３】図３は、図１のコンクリートブロックの中心線断面図である（脚部の傾斜角θを表示）。
【図４】図４は、図１のコンクリートブロックの側面図である。
【図５】図５は、本発明の基本コンクリートブロックであって、貫通孔、吊り金具収納部及び四隅の切欠き面を有するものの一例を示す斜視図である。
【図６】図６は、図５のコンクリートブロックの平面図である。
【図７】図７は、図５のコンクリートブロックの中心線断面図である。
【図８】図８は、図５のコンクリートブロックの側面図である。
【図９】図９は、本発明の基本コンクリートブロックであって、その四隅に切欠き面を有すると共に、上脚部及び下脚部の内側の二側面の境界を中心とする切欠き面、上嵌入部及び下嵌入部の二側面の境界を中心とするハンチ面、平面形状が正方形の貫通孔をも有するものの一例を示す斜視図である。
【図１０】図１０（１）は、図９のコンクリートブロックの上面図であり、図１０（２）は、その底面図である。
【図１１】図１１は、本発明の基本コンクリートブロックであって、その四隅に１／４円弧の切欠き面を有すると共に、上脚部及び下脚部の内側の二側面の境界を中心とする切欠き面及び平面形状が円形の貫通孔をも有するものの他の一例を示す上面図である。
【図１２】図１２は、図１１のコンクリートブロックの底面図である。
【図１３】図１３は、図５の基本コンクリートブロックと共に使用される本発明の端辺用コンクリートブロックの一例を示す平面図である。
【図１４】図１４は、図５の基本コンクリートブロックと共に使用される本発明の角部用コンクリートブロックの一例を示す平面図である。
【図１５】図１５は、図１４に示したコンクリートブロックに対して、切断面に対して対称な角部用コンクリートブロックを示す平面図である。
【図１６】図１６は、マスコンクリート構造物の構築に際し、第１のブロック層のブロックの配列を破線で示し、第２のブロック層についてはブロック１個のみを実線で示した平面説明図である。
【図１７】図１７は、マスコンクリート構造物の一部の縦方向断面の透視図である。
【図１８】図１８は、外縁部を鉛直に積み上げてマスコンクリート構造物を構築する際し、第１のブロック層のブロックの配列を破線で示し、第２のブロック層のブロックの配列は実線で示した平面説明図である。
【図１９】図１９は、本発明の小段用コンクリートブロックの一例を示す斜視図である。
【図２０】図２０は、図１９の小段用コンクリートブロックの、図１９とは１８０°異なる角度から俯瞰した斜視図である。
【図２１】図２１は、図１９及び図２０のコンクリートブロックの上面図である。
【図２２】図２２は、図１９乃至図２１のコンクリートブロックの変形例の斜視図である。
【図２３】図２３は、図１９乃至図２１のコンクリートブロックの他の変形例の斜視図である。
【図２４】図２４は、本発明の１．５体の小段用コンクリートブロックの一例を示す斜視図である。
【図２５】図２５は、図２４の１．５体の小段用コンクリートブロックの、図２４とは１８０°異なる角度から俯瞰した斜視図である。
【図２６】図２６は、図２４及び図２５の１．５体の小段用コンクリートブロックの平面（上面）図である。
【図２７】図２７は、図２４及び図２５の１．５体の小段用コンクリートブロックの側面図である。
【図２８】図２８は、図１９乃至図２１の小段用コンクリートブロックを使用したマスコンクリート構造物の一部の縦（鉛直）方向断面の透視図である。
【図２９】図２９は、図２４乃至図２７の１．５体の小段用コンクリートブロックを使用したマスコンクリート構造物の一部の縦（鉛直）方向断面の透視図である。
【図３０】図３０は、本発明の基本コンクリートブロックにおいて、ブロックの平面形状が正方形で、脚部及び嵌入部の平面形状が長方形（ここでは、「正方形」を含まない意味で使用している）である場合の、上嵌入部の底面及び上嵌入部の上端である外周が形成する四辺形の形状及び大きさと、本体部の上面の形状及び大きさとの関係を説明するための平面図である。
【図３１】図３１は、本発明の基本コンクリートブロックにおいて、ブロックの平面形状が長方形（ここでは、「正方形」を含まない意味で使用している）で、脚部及び嵌入部の平面形状が正方形である場合の、上嵌入部の底面及び上嵌入部の上端である外周が形成する四辺形の形状及び大きさと、本体部の上面の形状及び大きさとの関係を説明するための平面図である。
【図３２】図３２は、本発明の基本コンクリートブロックにおいて、ブロックの平面形状、脚部及び嵌入部の平面形状がいずれも長方形（ここでは、「正方形」を含まない意味で使用している）である場合の、上嵌入部の底面及び上嵌入部の上端である外周が形成する四辺形の形状及び大きさと、本体部の上面の形状及び大きさとの関係を説明するための平面図である。
【図３３】図３３は、本発明の基本コンクリートブロックにおいて、ブロックの平面形状が長方形（ここでは、「正方形」を含まない意味で使用している）で、脚部及び嵌入部の平面形状が正方形であるが、上面と下面の脚部及び嵌入部大きさが異なる場合を示す。図３３（１）は、上嵌入部の底面及び上嵌入部の上端である外周が形成する四辺形の形状及び大きさと、本体部の上面の形状及び大きさとの関係を説明するための平面図であり、図３３（２）は、下嵌入部の天井及び下嵌入部の下端である外周が形成する四辺形の形状及び大きさと、本体部の下面の形状及び大きさとの関係を説明するための平面図である。
【発明を実施するための形態】
【００４９】
本発明に使用するコンクリートにおいて、使用するセメントは特に限定がなく、普通ポルトランドセメント、高強度ポルトランドセメント、中庸熱ポルトランドセメント、高炉セメント、スラグセメント、シリカセメント等の各種セメントを使用することができる。
【００５０】
本発明に係るコンクリートブロックを、山間部における山崩れや火山噴火による災害に備え、火山泥流、土石流、熔岩流等の流れを変更させて、人家の密集地を避けて流れるように、且つ、これらの流れが山地斜面の浅いガリー浸蝕谷を堰き止めて人家の密集地の方向に流れて行かないように、誘導する目的で構築する堰堤や導流堤等のマスコンクリート構造物の構築に使用する場合には、通常の水流よりも比重が大きく且つ高速で破壊エネルギーの大きい上記のような流れに対抗するため、高比重のコンクリートブロックが好ましい。そのような高比重コンクリートを製造する場合には、骨材として電気炉酸化スラグや銅スラグを配合することが好ましい。
【００５１】
電気炉酸化スラグは、鉄鉱石ではなく屑鉄を原料とするため有害物質を含有するおそれが殆どなく、しかも比重は３．５〜３．６と高い。銅スラグも同様に比重が高く、有害金属を殆ど含有しないことが確認されている。電気炉酸化スラグは比較的粒度が大粒であるため、主として粗骨材に配合して使用されるが、粒径の小さいものは細骨材に配合してもよい。銅スラグは比較的粒度が小粒であるため、主として細骨材に配合して使用されるが、大粒のものは粗骨材に配合してもよい。粗骨材、細骨材をこれらのスラグのみで構成してもよい。しかし、例えばこれらスラグの粒度分布がコンクリートの骨材として好ましくない場合には、好ましい粒度分布とするために、他の骨材と共に使用する。これらのスラグ類の使用は、廃棄物の有効利用につながると共に、泥流、土石流、熔岩流等により押し流されるおそれの小さい、堅牢で比重の大きいマスコンクリート構造物の構築を可能とする。
【実施例】
【００５２】
次に、図面を参照して、本発明に係るコンクリートブロックの形状を説明する。
（１）基本コンクリートブロック（その１）
図１は、本発明の基本コンクリートブロックの平面形状が正方形の場合の一例を示す斜視図であり、図２はその平面図であり、図３は、その中心線断面図であり、図４は、その側面図である。
【００５３】
図１乃至図４に示すように、本発明の基本コンクリートブロック１００は、図１において、上側と下側の破線−実線−破線で区切られている直方体形状の本体部２と、本体部２の上面１９の四隅から延出する四角錐台形状の４本の上脚部４，４，４，４と、本体部２の下面２０の四隅から延出する逆四角錐台形状の４本の下脚部５，５，５，５とを有する。なお、破線は仮想線であり、実際には破線の個所における分離はない。
【００５４】
上脚部４は、本体部２の側面３Ａ，３Ｂと各々共通する側面９ｃ，９ｄと、側面９ｃに隣接する内側の側面９ｂ及び側面９ｄに隣接する内側の側面９ａとを有し、下脚部５は、本体部２の側面３Ａ，３Ｂと各々共通する側面１０ｃ，１０ｄと、側面１０ｃに隣接する内側の側面１０ｂ及び側面１０ｄに隣接する内側の側面１０ａとを有する。ここで、「側面３Ａ，３Ｂと各々共通する側面９ｃ，９ｄ（又は１０ｃ，１０ｄ）」とは、側面９ｃ（又は１０ｃ）は、側面３Ａをそのまま延出していったときに形成される側面であり、側面９ｄ（又は１０ｄ）は、側面３Ｂをそのまま延出していったときに形成される側面であるという意味である。また、本明細書において、直方体の定義には立方体が包含される。
【００５５】
基本コンクリートブロック１００は、その平面（又は上面）形状が正方形である。上脚部４は、４本が同形状且つ同寸法の四角錐台形状である。この四角錐台の四側面９ａ，９ｂ，９ｃ，９ｄの中で、内側の二側面９ａ，９ｂは、互いに同形状（具体的には台形）且つ同寸法であり、それらの境界である辺３１を通り且つ側面９ａと側面９ｂとの間の角度を二等分する鉛直面に対して対称であり、各々が本体部２の上面１９に対して鈍角θの斜面（図３を参照のこと、θ＝１００乃至１５０度程度）であり、外側の二側面９ｃ，９ｄは、互いに同形状（具体的には台形）且つ同寸法であり、それらの境界である辺４１を通り且つ側面９ｃと側面９ｄとの間の角度を二等分する鉛直面に対して対称であり、前記したように、本体部２の側面３Ａ，３Ｂと各々共通する側面（すなわち鉛直な側面）である。
【００５６】
同様に、下脚部５も、４本が同形状且つ同寸法の四角錐台形状である。但し、下脚部５の上面はその下面よりも面積が大きいので、逆四角錐台と称している。下脚部５の四側面１０ａ，１０ｂ，１０ｃ，１０ｄの中で、内側の二側面１０ａ，１０ｂは、互いに同形状（具体的には台形）且つ同寸法であり、それらの境界である辺３２を通り且つ側面１０ａと側面１０ｂとの間の角度を二等分する鉛直面に対して対称であり、各々が本体部２の下面２０に対して鈍角θの斜面（図３を参照のこと、θ＝１００乃至１５０度程度）であり、外側の二側面１０ｃ，１０ｄは、互いに同形状（具体的には台形）且つ同寸法であり、それらの境界である辺４２を通り且つ側面１０ｃと側面１０ｄとの間の角度を二等分する鉛直面に対して対称であり、前記したように、本体部２の側面３Ａ，３Ｂと各々共通する側面（すなわち鉛直な側面）である。
【００５７】
図１乃至図４に示された例では、上脚部４と下脚部５は、上下は逆向きではあるが、同形状且つ同寸法である。しかし、後記するように、上脚部４の形状及び寸法は下嵌入部１１の形状及び寸法との関係で、また、下脚部５の形状及び寸法は上嵌入部８の形状及び寸法との関係で規定される。したがって、上脚部４と下脚部５とは、異なる形状、寸法であってもよい。但し、上脚部４と下脚部５とが、同形状、同寸法であることが好ましい。
【００５８】
本体部２の上面１９の中央部には、上嵌入部８が形成されている。上嵌入部８の形状は、逆四角錐台である。この形状は、４個のコンクリートブロックにおける各々１本の下脚部５，５，５，５を、下脚部５の外側の二側面１０ｃ，１０ｄの境界である辺４２が中央（但し、厳密に中央である必要はなく、中央付近でよい）に来るように集結させたものの形状及び大きさとほぼ同じである。但し、４本の下脚部５，５，５，５が余裕を持って上嵌入部８に入るような形状及び大きさである。「余裕を持って」とはいっても、前記したように、上嵌入部８の容積に対する、上嵌入部８の容積と４本の下脚部５，５，５，５の総容積との差の割合は、小さいことが好ましい。
【００５９】
基本コンクリートブロック１００では、上嵌入部８の上端である外周は、上脚部４，４，４，４の底面の内側角部である点ｘ，ｘ，ｘ，ｘで、上脚部４，４，４，４と接触している。上嵌入部８の底面６ａは、本体部２の上面１９と平行である。上嵌入部８の底面６ａの形状は正方形（１）、上嵌入部８の上端である外周が形成する形状は正方形（２）、且つ、本体部２の上面１９の形状は正方形（３）である。そして、正方形（１）のいずれかの辺と正方形（２）のいずれかの辺とは、互い平行な関係にあるが、同時に、それらの辺は、正方形（３）のいずれかの辺とも平行な位置関係にある。上嵌入部８の四つの側面７ａ１，７ａ２，７ａ１，７ａ２は、いずれも同一の傾斜角を有する。また、下脚部５の内側の二側面１０ａ，１０ｂの傾斜角は、それぞれ、上嵌入部８の側面７ａ１，７ａ２とほぼ同一の傾斜角を有する。
【００６０】
図１乃至図４に示す例では、上嵌入部８の底面６ａの形状、上嵌入部８の上端である外周が形成する形状及び本体部２の上面１９の形状は、いずれも正方形であるが、本発明において、これらは正方形である必要はなく、長方形（ここでは、「正方形」を含む概念）であればよい。また、図１乃至図４に示す例では、上嵌入部８の上端である外周の位置は点ｘ，ｘ，ｘ，ｘを結ぶ線と一致しているが、本発明では、上嵌入部８の上端である外周の位置は、その外周を形成している四辺すべての外側に上面１９（上脚部４が存在している個所も含む）が存在し、且つ、上嵌入部８が上脚部４，４，４，４と重ならなければ（上嵌入部８が上脚部４，４，４，４の下に潜り込まなければ）よい。但し、上嵌入部８の上端である外周の位置は、点ｘ，ｘ，ｘ，ｘを結ぶ線と一致していることが望ましい。
【００６１】
図１乃至図４に示す基本コンクリートブロック１００は、その高さ方向中央の横断面（水平断面）に対し、上半分と下半分とが面対称となっている。したがって、本体部２の下面２０の中央部には、下脚部５，５，５，５の天井面の内側角部の点ｙ，ｙ，ｙ，ｙで下脚部５，５，５，５と接触する下嵌入部１１を有する。下嵌入部１１の形状は四角錐台である。下嵌入部１１の天井６ｂは、本体部２の下面２０と平行である。天井６ｂの形状は正方形であり、下嵌入部１１の下端である外周（点ｙ，ｙ，ｙ，ｙを結ぶ線）が形成する形状も正方形である。上嵌入部８の底面６ａと下嵌入部１１の天井６ｂとの間の鉛直高さ寸法は、コンクリートブロックが所望の強度を示すかぎり、特に限定されないが、本体部２の高さの１／４乃至２／３であることが好ましく、２／５乃至３／５であることがさらに好ましい。
【００６２】
本体部２の下面２０の中央部には、下嵌入部１１が形成されている。下嵌入部１１の形状は、四角錐台である。この形状は、４個のコンクリートブロックにおける各々１本の上脚部４，４，４，４を、上脚部４の外側の二側面９ｃ，９ｄの境界である辺４１が中央（但し、厳密に中央である必要はなく、中央付近でよい）に来るように集結させたものの形状及び大きさとほぼ同じである。但し、４本の上脚部４，４，４，４が余裕を持って下嵌入部１１に入るような形状及び大きさである。「余裕を持って」とはいっても、前記したように、下嵌入部１１の容積に対する、下嵌入部１１の容積と４本の上脚部４，４，４，４の総容積との差の割合は、小さいことが好ましい。下嵌入部１１の四つの側面７ｂ１，７ｂ２，７ｂ１，７ｂ２は、いずれも同一の傾斜角を有する。また、上脚部４の内側の二側面９ａ，９ｂの傾斜角は、それぞれ、下嵌入部１１の側面７ｂ１，７ｂ２とほぼ同一の傾斜角を有する。
【００６３】
図１乃至図４に示す例では、下嵌入部１１の天井６ｂの形状、下嵌入部１１の下端である外周が形成する形状及び本体部２の下面２０の形状は、いずれも正方形であるが、本発明において、これらは正方形である必要はなく、長方形（ここでは、「正方形」を含む概念）であればよい。また、図１乃至図４に示す例では、下嵌入部１１の下端である外周の位置は、下脚部５，５，５，５の天井面の内側角部の点ｙ，ｙ，ｙ，ｙを結ぶ線と一致しているが、本発明では、下嵌入部１１の下端である外周の位置は、その外周を形成している四辺すべての外側に下面２０（下脚部５が存在している個所も含む）が存在し、且つ、下嵌入部１１が下脚部５，５，５，５と重ならなければ（下嵌入部１１が下脚部５，５，５，５の上に存在しなければ）よい。但し、下嵌入部１１の下端である外周の位置は、下脚部５，５，５，５の天井面の内側角部の点ｙ，ｙ，ｙ，ｙを結ぶ線と一致していることが望ましい。
【００６４】
上脚部４及び下脚部５の高さは、それぞれ、下嵌入部１１及び上嵌入部８の深さとの関係で規定されるのみであるが、上脚部４及び下脚部５の高さは、それぞれ、本体部２の高さの１／６乃至３／８であることが好ましく、１／５乃至３／１０であることがさらに好ましい。
【００６５】
次に、上嵌入部８の形状及び大きさ、下脚部５の形状及び大きさ、そしてブロックの平面（又は上面）形状の変形例について、図３０乃至図３３を参照して説明する。
【００６６】
図３０に、基本コンクリートブロック１０１の上面図を示す。基本コンクリートブロック１０１は、その本体部の平面（又は上面）形状は正方形であるが、上脚部４及び下脚部５、上嵌入部８及び下嵌入部１１の形状は長方形（ここでは、「正方形」を含まない概念）である。加えて、上脚部４，４，４，４と下脚部５，５，５，５とが、同形状且つ同寸法であり、上嵌入部８と下嵌入部１１とが、同形状且つ同寸法である。上嵌入部８内に示した破線は、下脚部５，５，５，５が挿入された状態を示すためのものである。上嵌入部８の底面６ａは、辺ｊ１，ｋ１，ｊ２，ｋ２で囲まれた長方形であり、上嵌入部８の上端の外周は、辺ｐ１，ｎ１，ｐ２，ｎ２で囲まれた長方形である。辺ｊ１と辺ｐ１、辺ｋ１と辺ｎ１、辺ｊ２と辺ｐ２、辺ｋ２と辺ｎ２は、各々、平行の位置にある。また、辺ｊ１、辺ｐ１、辺ｊ２及び辺ｐ２は、いずれもブロックの上面１９の外周を構成する辺ｍと平行の位置にあり、辺ｋ１、辺ｎ１、辺ｋ２及び辺ｎ２は、いずれもブロックの上面１９の外周を構成する辺ｌ（エル）と平行の位置にある。この場合、コンクリートブロックを積み上げるに当たって、ブロックの平面の方向を一致させる必要がある。また、この例では、一つのブロックにおける本体部２の上面１９と上脚部４，４，４，４との接合面積及び下面２０と下脚部５，５，５，５との接合面積が小さくなり、ブロック脚部のせん断抵抗力が小さくなるので、脚部のせん断強度をその分大きくすることが望ましい。
【００６７】
辺ｊ１及び辺ｊ２の長さは、いずれも、下脚部５の底面の形状である長方形の短辺の長さ（＝上脚部４の上面の形状である長方形の短辺の長さｓ１）のほぼ２倍（但し、２倍以下であってはならない）であり、辺ｋ１及び辺ｋ２の長さは、いずれも、下脚部５の底面の形状である長方形の長辺の長さ（＝上脚部４の上面の形状である長方形の長辺の長さｔ１）のほぼ２倍（但し、２倍以下であってはならない）である。辺ｐ１及び辺ｐ２の長さは、いずれも、下脚部５の天井の形状である長方形の短辺の長さ（＝上脚部４の底面の形状である長方形の短辺の長さｓ２）のほぼ２倍（但し、２倍以下であってはならない）であり、辺ｎ１及び辺ｎ２の長さは、いずれも、下脚部５の天井の形状である長方形の長辺の長さ（＝上脚部４の底面の形状である長方形の長辺の長さｔ２）のほぼ２倍（但し、２倍以下であってはならない）である。
【００６８】
辺ｐ１は、二つの上脚部４，４の底面の内側角部である点ｘ１，ｘ２を結ぶ線上に、辺ｐ２は、二つの上脚部４，４の底面の内側角部である点ｘ３，ｘ４を結ぶ線上に存在するが、辺ｎ１は、二つの上脚部４，４の底面の内側角部である点ｘ２，ｘ３を結ぶ線よりも内側に、また、辺ｎ２は、二つの上脚部４，４の底面の内側角部である点ｘ４，ｘ１を結ぶ線よりも内側に存在する。
【００６９】
図３１に、基本コンクリートブロック１０２の上面図を示す。基本コンクリートブロック１０２は、その本体部の平面（又は上面）形状は長方形（ここでは、「正方形」を含まない概念）であるが、上脚部４及び下脚部５、上嵌入部８及び下嵌入部１１の平面形状は正方形である。加えて、上脚部４，４，４，４と下脚部５，５，５，５とが、同形状且つ同寸法であり、上嵌入部８と下嵌入部１１とが、同形状且つ同寸法である。上嵌入部８内に示した破線は、下脚部５，５，５，５が挿入された状態を示すためのものである。上嵌入部８の底面６ａを構成する辺、上嵌入部８の上端の外周を構成する辺、ブロックの上面１９の外周を構成する辺の相対的な位置関係は、基本コンクリートブロック１０１の場合と同様であるので、説明を省略する。また、上嵌入部８の各部分の大きさ（辺の長さ）と下脚部５の各部分の大きさ（辺の長さ）との関係も、基本コンクリートブロック１０１の場合と同様であるので、説明を省略する。この場合、コンクリートブロックを積み上げるに当たって、ブロックの平面の方向を一致させる必要がある。また、この例では、一つのブロックにおける本体部２の上面１９と上脚部４，４，４，４との接合面積及び下面２０と下脚部５，５，５，５との接合面積が小さくなり、ブロック脚部のせん断抵抗力が小さくなるので、脚部のせん断強度をその分大きくすることが望ましい。
【００７０】
基本コンクリートブロック１０２において、辺ｐ１は、二つの上脚部４，４の底面の内側角部である点ｘ１，ｘ２を結ぶ線よりも内側に、また、辺ｐ２は、二つの上脚部４，４の底面の内側角部である点ｘ３，ｘ４を結ぶ線よりも内側に存在するが、辺ｎ１は、二つの上脚部４，４の底面の内側角部である点ｘ２，ｘ３を結ぶ線上に、また、辺ｎ２は、二つの上脚部４，４の底面の内側角部である点ｘ４，ｘ１を結ぶ線上に存在する。
【００７１】
図３２に、基本コンクリートブロック１０３の上面図を示す。基本コンクリートブロック１０３は、その本体部の平面（又は上面）形状は長方形（ここでは、「正方形」を含まない概念）であり、上脚部４及び下脚部５、上嵌入部８及び下嵌入部１１の平面形状も長方形（ここでは、「正方形」を含まない概念）である。加えて、上脚部４，４，４，４と下脚部５，５，５，５とが、同形状且つ同寸法であり、上嵌入部８と下嵌入部１１とが、同形状且つ同寸法である。上嵌入部８内に示した破線は、下脚部５，５，５，５が挿入された状態を示すためのものである。この場合、コンクリートブロックを積み上げるに当たって、ブロックの平面の方向を一致させる必要がある。また、この例では、ブロックを積み上げるにあたって、本体部２の上面１９及び下面２０が上層及び下層に隣接する他のブロックの本体部２の下面２０及び上面１９と接する面積が小さくなることと、本体部２の上面１９及び下面２０における一方の枠幅ｗが狭くなることから、ブロックの圧縮強度並びに曲げ強度をその分大きくすることが望ましい。
【００７２】
基本コンクリートブロック１０３において、辺ｐ１は、二つの上脚部４，４の底面の内側角部である点ｘ１，ｘ２を結ぶ線よりも内側に、また、辺ｐ２は、二つの上脚部４，４の底面の内側角部である点ｘ３，ｘ４を結ぶ線よりも内側に存在するが、辺ｎ１は、二つの上脚部４，４の底面の内側角部である点ｘ２，ｘ３を結ぶ線よりも外側に、また、辺ｎ２は、二つの上脚部４，４の底面の内側角部である点ｘ４，ｘ１を結ぶ線よりも外側に存在する。しかし、この例でも、上嵌入部８は上脚部４，４，４，４のいずれとも重なってはおらず、且つ、上嵌入部８の外周を形成する四辺ｐ１，ｎ１，ｐ２，ｎ２のすべての外側に上面１９が存在する。
【００７３】
図３３に示す基本コンクリートブロック１０４は、その本体部の平面（又は上面）形状は長方形（ここでは、「正方形」を含まない概念）であり、上脚部４及び下脚部５、上嵌入部８及び下嵌入部１１の平面形状は正方形であるが、上脚部と下脚部との大きさ並びに上嵌入部と下嵌入部との大きさが異なる。４本の上脚部４，４，４，４は互いに同形状且つ同寸法であり、且つ、４本の下脚部５，５，５，５も、互いに同形状且つ同寸法である。このように、基本コンクリートブロック１０４は、上脚部４，４，４，４と下脚部５，５，５，５とは、同形状ではあるが寸法が異なり、したがって、上嵌入部８と下嵌入部１１も同形状ではあるが寸法が異なる例である。図３３（１）は、基本コンクリートブロック１０４の上面図であり、図３３（２）は、その下面図である。この場合、コンクリートブロックを積み上げるに当たって、ブロックの脚部と嵌入部の形状が合うように、ブロックの上下方向を一致させる必要がある。また、コンクリートブロックを積み上げるに当たって、ブロックの平面の方向も一致させる必要がある。この例では、一つのブロックにおける本体部２の上面１９と上脚部４，４，４，４との接合面積が小さく、ブロック上脚部４，４，４，４のせん断抵抗力が小さくなるので、上脚部４，４，４，４のせん断強度をその分大きくすることが望ましい。また、ブロックを積み上げるにあたって、一つのブロックの本体部２の上面１９及び下面２０が、その上層及び下層に隣接する他のブロックの本体部２の下面１９及び上面２０と接する面積が小さくなることと、本体部２の上面１９の枠幅ｗ１が狭くなることから、ブロックの圧縮強度並びに曲げ強度をその分大きくすることが望ましい。
【００７４】
基本コンクリートブロック１０４において、上嵌入部８の上端の外周を構成する辺ｐ１は、二つの上脚部４，４の底面の内側角部である点ｘ１，ｘ２を結ぶ線上に、また、辺ｐ２は、二つの上脚部４，４の底面の内側角部である点ｘ３，ｘ４を結ぶ線上に存在するが、辺ｎ１は、二つの上脚部４，４の底面の内側角部である点ｘ２，ｘ３を結ぶ線よりも外側に、また、辺ｎ２は、二つの上脚部４，４の底面の内側角部である点ｘ４，ｘ１を結ぶ線よりも外側に存在する。しかし、この例でも、上嵌入部８は上脚部４，４，４，４のいずれとも重なってはおらず、且つ、上嵌入部８の外周を形成する四辺ｐ１，ｎ１，ｐ２，ｎ２のすべての外側に上面１９が存在する。
【００７５】
同様に、基本コンクリートブロック１０４において、下嵌入部１１の下端の外周を構成する辺ｒ１は、二つの下脚部５，５の天井の内側角部である点ｙ１，ｙ２を結ぶ線上に、また、辺ｒ２は、二つの下脚部５，５の天井の内側角部である点ｙ３，ｙ４を結ぶ線上に存在するが、辺ｑ１は、二つの下脚部４，４の天井の内側角部である点ｙ２，ｙ３を結ぶ線よりも外側に、また、辺ｑ２は、二つの下脚部５，５の天井の内側角部である点ｙ４，ｙ１を結ぶ線よりも外側に存在する。しかし、この例でも、下嵌入部１１は下脚部５，５，５，５のいずれとも重なってはおらず、且つ、下嵌入部１１の外周を形成する四辺ｒ１，ｑ１，ｒ２，ｑ２のすべての外側に下面２０が存在する。
【００７６】
図３０乃至図３３において、符号ｓ１は、上脚部４の上面の一辺（側面９ａ及び側面９ｃの一辺であって、上脚部４の上面を構成する辺）の長さであり、符号ｓ２は、上脚部４の底面の一辺（側面９ａ及び側面９ｃの一辺であって、上脚部４の底面を構成する辺）の長さであり、符号ｓ３は、下脚部５の下面の一辺（側面１０ａ及び側面１０ｃの一辺であって、下脚部５の下面を構成する辺）の長さであり、符号ｓ４は、下脚部５の天井の一辺（側面１０ａ及び側面１０ｃの一辺であって、下脚部５の天井を構成する辺）の長さである。符号ｔ１は、上脚部４の上面の一辺（側面９ｂ及び側面９ｄの一辺であって、上脚部４の上面を構成する辺）の長さであり、符号ｔ２は、上脚部４の底面の一辺（側面９ｂ及び側面９ｄの一辺であって、上脚部４の底面を構成する辺）の長さであり、符号ｔ３は、下脚部５の下面の一辺（側面１０ｂ及び側面１０ｄの一辺であって、下脚部５の下面を構成する辺）の長さであり、符号ｔ４は、下脚部５の天井の一辺（側面１０ｂ及び側面１０ｄの一辺であって、下脚部５の天井を構成する辺）の長さである。
【００７７】
本発明のブロックの実際の寸法（「製作寸法」ということがある）において、ブロックの一辺の長さに対する上脚部４や下脚部５の、その一辺上に存在する辺の長さの比率、すなわち、ｓ２／辺ｍ，ｔ２／辺ｌ（エル），ｓ４／辺ｍ，ｔ４／辺ｌ（エル）は、０．１５乃至０．３５であることが好ましく、０．１５乃至０．３０であることが更に好ましく、０．２０乃至０．２５であることがさらにより好ましく、０．２２乃至０．２４であることが特に好ましい。
【００７８】
図３０乃至図３３において、符号ｖ，ｖ１は、上面１９の枠幅、すなわち、上面１９の辺ｍと上嵌入部８の上端である外周の、辺ｍに平行な辺ｐ１（又は辺ｐ２）との間の長さであり、符号ｗ，ｗ１は、上面１９のもう一つの枠幅、すなわち、上面１９の辺ｌ（エル）と上嵌入部８の上端である外周の、辺ｌ（エル）に平行な辺ｎ１（又は辺ｎ２）との間の長さであり、符号ｖ２は、下面２０の枠幅、すなわち、下面２０の辺ｍと下嵌入部１１の下端である外周の、辺ｍに平行な辺ｒ１（又は辺ｒ２）との間の長さであり、符号ｗ２は、下面２０のもう一つの枠幅、すなわち、下面２０の辺ｌ（エル）と下嵌入部１１の下端である外周の、辺ｌ（エル）に平行な辺ｑ１（又は辺ｑ２）との間の長さである。一辺ｌ（エル）の長さに対する枠幅ｖ，ｖ１，ｖ２の比率は、０．１５乃至０．３５であることが好ましく、０．１５乃至０．３０であることが更に好ましく、０．２０乃至０．２５であることがさらにより好ましく、０．２２乃至０．２４であることが特に好ましい。また、一辺ｍの長さに対する枠幅ｗ，ｗ１，ｗ２の比率は、０．１５乃至０．３５であることが好ましく、０．１５乃至０．３０であることが更に好ましく、０．２０乃至０．２５であることがさらにより好ましく、０．２２乃至０．２４であることが特に好ましい。なお、図１乃至図４に示す基本コンクリートブロック１００では、一辺ｌ（エル）又はｍに対する枠幅の比率は、０．２５弱である。基本コンクリートブロック１００の平面図は製作寸法での図であるが、基本コンクリートブロックの設計寸法（設計寸法とは、ブロック内の各部の寸法にブロックの積上げ施工に必要な余裕を配慮してブロックを製作するための製作寸法を決める以前におけるブロックの基本的な寸法をいう）において、上嵌入部６ａの上端を構成する辺及び下嵌入部６ｂの下端を構成する辺の長さは、いずれも設計寸法におけるブロック外周を構成する辺の長さの約１／２であり、望ましくは１／２であるが、製作寸法におけるブロック上面１９及び下面２０の枠幅は、ブロック製作時の製作誤差、ブロックを設置する基礎面の凹凸及びブロック積み上げ施工における僅かの余裕の必要性に配慮して、製作寸法におけるブロック外周を構成する辺の長さに対して、０．１５乃至０．３５であることが好ましく、０．１５乃至０．３０であることが更に好ましく、０．２０乃至０．２５であることがさらにより好ましく、０．２２乃至０．２４であることが特に好ましい。
【００７９】
（２）基本コンクリートブロック（その２）
図５は、その平面形状が後記するように切欠き面１３を有するために正確な正方形ではない、即ち略正方形の本発明の基本コンクリートブロック１１０であって、本体部の四隅と、上脚部及び下脚部の本体部の四隅から延出する個所に切欠き面１３を有し、且つ、貫通孔１２及び吊り金具収納部１５を有するものの一例を示す斜視図であり、図６はその平面図であり、図７は、その中心線断面図であり、図８は、その側面図である。以下の説明では、図１乃至図４に示した基本コンクリートブロック１００と同様の個所については説明を省略する。
【００８０】
図５乃至図８に示す本発明の切欠き面１３を有する基本コンクリートブロック１１０は、基本コンクリートブロック１００に、四隅の切欠き面１３，１３，１３，１３と、下嵌入部１１の上に位置する吊り金具収納部１５と、上嵌入部８の中心の位置であって吊り金具収納部１５の天井６ｃにまで到達する貫通孔１２とを設けたものである。
【００８１】
貫通孔１２は、上嵌入部８の中心に設けられており、その横断面形状は、上嵌入部８の底面６ａの４辺と４５°の角度で交わる直線によって囲まれた正方形である。ここで、貫通孔１２の横断面形状は、正方形でなくてもよく、上嵌入部８の底面６ａの４辺と斜角で交わる直線によって囲まれた四辺形であればよい。斜角の角度は限定されないが、３０乃至６０°が好ましく、４０乃至５０°が寄り好ましく、４５°±２°であると、貫通孔の横断面形状が正方形に近い形状となるので特に好ましい。本明細書では、この正方形に近い形状を、「略正方形」という場合がある。
【００８２】
基本コンクリートブロック１１０では、貫通孔１２は、吊り金具収納部１５の天井６ｃに達するように穿設されている。基本コンクリートブロックが吊り金具収納部１５を有さないものである場合には、貫通孔１２は、下嵌入部１１の天井６ｂに達するように穿設される。
【００８３】
本発明に係るコンクリートブロックを運搬、設置するためには、当該ブロックをクレーン等で吊り上げる必要がある。吊り金具は、通常、コンクリートブロックの４本の上脚部に設けられ、吊り金具収納部１５は、そのような吊り上げに使用される金具を収納するための空間である。したがって、吊り金具が収納できる大きさであればよい。
【００８４】
本体部２の四隅と、上脚部４及び下脚部５の本体部２の四隅から延出する部位には、各々、貫通孔１２の一辺と平行であり且つその一辺の長さよりも少し大きい幅を有する切欠き面１３が設けられている。４個の基本コンクリートブロック１１０，１１０，１１０，１１０を、２個ずつ２列にそれらの側面同士を接触させて並べると、中心部に貫通孔１２とほぼ同形状であり、且つ、少し大きい寸法の見掛け上の貫通孔１４（図１６乃至図１８を参照のこと）ができる。なお、その横断面形状が四辺形の見掛け上の貫通孔１４を提供する切欠き面１３は、四隅を貫通孔１２の一辺と平行な直線で切欠いた形状であればよい。
【００８５】
図５乃至図８に記載した例では、貫通孔１２は、その横断面形状が正方形であり、切欠き面１３は直線で切欠かかれている。この他、図１１及び１２を参照して後述するように、貫通孔の横断面形状が円形であり、四隅には内側に向かって凸となっている１／４円の円弧で切欠いて形成された切欠き面が存在するものも、本発明の基本コンクリートブロックに包含される。さらには、貫通孔の横断面形状が楕円形であり、四隅には内側に向かって凸となっている楕円の１／４円弧で切欠いて形成された切欠き面が存在するものも、本発明の基本コンクリートブロックに包含される。貫通孔の横断面形状と見掛け上の貫通孔の横断面形状が、いずれも円形（又はいずれも楕円形）である必要はない。円と楕円との組合せも可能である。
【００８６】
貫通孔の横断面形状である円や楕円の面積と、４個の基本コンクリートブロックの切欠き面を集結させることによって形成される見掛け上の貫通孔の横断面形状である円や楕円の面積とは、必ずしも同一である必要はない。しかし、施工の観点からは、貫通孔の横断面形状である円又は楕円の面積と、見掛け上の貫通孔の横断面形状である円又は楕円の面積とを比べた場合に、見掛け上の貫通孔の横断面形状である円又は楕円の面積の方がやや大きいことが好ましい。
【００８７】
なお、貫通孔の横断面形状を円形又は楕円形とし、切欠き面は直線で切り欠いて形成する（すなわち、見掛け上の貫通孔の横断面形状は四辺形である）ことは可能であり、逆に、貫通孔の横断面形状を四辺形とし、切欠き面は円又は楕円の１／４円弧で切り欠いて形成する（すなわち、見掛け上の貫通孔の横断面形状は円形又は楕円形である）ことも可能である。
【００８８】
（３）基本コンクリートブロック（その３）
図９は、その平面形状が後記するように切欠き面１３を有するために正確な正方形ではない、即ち略正方形の本発明の基本コンクリートブロック１５０であって、その本体部２、上脚部４及び下脚部５の平面形状は各々略正方形であり、その四隅に直線で切り欠いた切欠き面１３を有すると共に、上脚部４の内側の二側面９ａ，９ｂの境界である辺３１を通り且つ側面９ａと側面９ｂとの間の角度を二等分する鉛直面に対して左右対称の切欠き面１６及び下脚部５の内側の二側面１０ａ，１０ｂの境界である辺３２を通り且つ側面１０ａと側面１０ｂとの間の角度を二等分する鉛直面に対して左右対称の切欠き面１７をも有するものの一例を示す斜視図であり、図１０（１）はその上面図、図１０（２）はその底面図である。また、図１１及び図１２は、本発明の基本コンクリートブロック１６０であって、その本体部２、上脚部４及び下脚部５の平面形状は各々略正方形であり、その四隅に曲線（１／４円）で切り欠いた切欠き面１３を有すると共に、上脚部４の内側の二側面９ａ，９ｂの境界である辺３１を通り且つ側面９ａと側面９ｂとの間の角度を二等分する鉛直面に対して左右対称の切欠き面１６及び下脚部５の内側の二側面１０ａ，１０ｂの境界である辺３２を通り且つ側面１０ａと側面１０ｂとの間の角度を二等分する鉛直面に対して左右対称の切欠き面１７をも有するものの一例を示す上面図及び底面図である。
【００８９】
図９及び図１０に示す本発明の基本コンクリートブロック１５０は、図５乃至図８に示す基本コンクリートブロック１１０（但し、吊り金具収納部１５は形成していない）において、上脚部４の内側の二側面９ａ，９ｂの境界である辺３１を通り且つ側面９ａと側面９ｂとの間の角度を二等分する鉛直面に対して左右対称の台形状の切欠き面１６を設け、下脚部５の内側の二側面１０ａ，１０ｂの境界である辺３２を通り且つ側面１０ａと側面１０ｂとの間の角度を二等分する鉛直面に対して左右対称の台形状の切欠き面１７を設け、そして、上嵌入部８の側面７ａの四隅には下脚部５の切欠き面１７に対応するハンチ面２６を設け、下嵌入部１１の側面７ｂの四隅には上脚部４の切欠き面１６に対応するハンチ面２７を設けたものに相当する。したがって、上脚部４及び下脚部５の形状は、厳密には六角錐台であるといえる。
【００９０】
図１１及び図１２に示す本発明の基本コンクリートブロック１６０の、図９及び図１０に示す本発明の基本コンクリートブロック１５０との相違は、上嵌入部８の中心に、下嵌入部１１に通じるように穿設された貫通孔１２の横断面形状が円形であることと、本体部２の四隅と、上脚部４及び下脚部５の本体部２の四隅から延出する部位に設けられた切欠き面１３の形状が、内側に向かって凸となっている円の１／４の円弧状であるという点である。
【００９１】
次に、本発明のマスコンクリート構造物を構築する場合に、その端部に配置される１．５体の端辺用コンクリートブロックと、その角部に配置される角部用コンクリートブロックについて説明する。ここでは、図５乃至図８に示した貫通孔１２及び切欠き面１３を有する基本コンクリートブロック１１０と共に使用されるものについて説明するが、基本コンクリートブロック１００（図１乃至４を参照のこと），１５０（図９及び１０を参照のこと）及び１６０（図１１及び１２を参照のこと）と共に使用されるものも同様である。
【００９２】
図１３は、本発明のマスコンクリート構造物を構築する場合に、その端部に配置される１．５体の端辺用コンクリートブロック１２０の平面図である。コンクリートブロック１２０は、２体の基本コンクリートブロック１１０，１１０を、同形状且つ同寸法の一側面を共通にして連結した後、一方の基本コンクリートブロックを、連結した面１８と平行な面で且つ中央で切断した形状である。「中央」は、厳密に、すなわち正に中央でなくともよい。切断され、ほぼ１／２となった基本コンクリートブロックを、符号１１５で示した。また、連結した面１８は、実際には繋がっていて存在しないので、破線で示した。
【００９３】
図１４及び図１５は、本発明のマスコンクリート構造物を構築する場合に角部に配置される、角部用コンクリートブロック１３０及び１４０の平面図である。コンクリートブロック１３０及び１４０は、端辺用コンクリートブロック１２０を、前記連結した面１８と直交する面で且つ中央で切断した形状を有する。「中央」は、厳密に、すなわち正に中央でなくともよい。したがって、これらのコンクリートブロック１３０及び１４０は、互いにほぼ面対称である。
【００９４】
後述するように、鉛直な側面を有するマスコンクリート構造物を構築する場合に、上記端辺用コンクリートブロック１２０と、角部用コンクリートブロック１３０及び１４０が使用される。
【００９５】
次に、本発明のマスコンクリート構造物を構築する場合に、例えば堰堤水通し部に配置され得る、小段用コンクリートブロックについて説明する。このコンクリートブロックは、落下水流や土石の小段部への衝撃を緩和するものである。ここでは、先ず、基本コンクリートブロック１５０と共に使用される、図１９乃至図２１に示した貫通孔１２、切欠き面１３及び切欠き面１６を有する小段用コンクリートブロックについて説明する。
【００９６】
図１９及び図２０は、本発明の小段用コンクリートブロックの一例を示す斜視図である。図１９と図２０とは、その俯瞰した方向が１８０度異なっている。また、図２１は、図１９及び図２０のコンクリートブロックの上面図である。
【００９７】
本発明の小段用コンクリートブロック１７０は、基本コンクリートブロック１５０の、本体部２をその一側面３Ａに平行な面で且つ中央で縦に切断してなる本体部２の１／２とした部分であって実質的に上嵌入部８を有さない部分２ａと、二つの下脚部５，５と、１／２とした部分２ａの上面１９上に形成された傾斜部７０とを有する水撥ね部５０（図１９において、一点鎖線より奥側、図２１において、一点鎖線より下側）と、他の１／２残部６０とが、切断面同士で結合されてなるものである。他の１／２残部６０は、基本コンクリートブロック１５０を側面３Ａに平行な面で且つ中央で縦に切断してなる基本コンクリートブロック１５０の１／２とした部分であって、それぞれ２本の上脚部４，４及び下脚部５，５と、上嵌入部８の半分及び下嵌入部１１の半分を有する１／２本体部２からなる。
【００９８】
傾斜部７０は、本体部２の側面３Ａから延出した側面８０Ａと、本体部２の側面３Ａの両側に位置する側面３Ｂ’,３Ｂ’の各々から延出した側面８０Ｂ，８０Ｂと、二つの側面８０Ｂ，８０Ｂを繋ぐ側面８０Ｃと、上面８０Ｄとを有する。
【００９９】
側面８０Ａは、下方に位置し、形状が長方形で本体部２の側面３Ａに共通する側面８０Ａ（１）と、側面８０Ａ（１）に続いてその上方に存在し、内側に向かって傾いている側面８０Ａ（２）とからなる（図２０参照）。二つの側面８０Ｂ，８０Ｂの各々は、本体部２の側面３Ｂ’に共通する側面であり、その下方は長方形部分８０Ｂ（１）であり、長方形部分８０Ｂ（１）に続いてその上方に存在する部分は略台形部分８０Ｂ（２）である。
【０１００】
側面８０Ｃは、他の１／２残部６０の内側の面（切断面）と、水撥ね部５０の１／２とした部分２ａの内側の面（切断面）とが結合された位置（図１９乃至図２１において、一点鎖線で示されている位置）よりも、水撥ね部５０の内側に若干後退した位置にある。上嵌入部８は、他の１／２残部６０と、それから延長された水撥ね部５０の一部に存在する。より具体的には、側面８０Ｃに結合するように延長されている。したがって、水撥ね部５０には、上嵌入部８が、前記結合された位置と前記若干後退した位置の側面８０Ｃとの間にのみ存在する。したがって、「実質的に上嵌入部８を有さない」と表現している。なお、側面８０Ｃの位置をこのように設計したのは、側面８０Ｃを、前記結合された位置と同じ個所に形成すると、ブロック製作時の製作誤差、ブロックを配置する基礎面の凹凸及びブロック積み上げ施工における僅かの余裕の必要性が満たされず、施工時に上嵌入部８に下脚部５が挿入され得ない事態を招来する可能性があり、それを防ぐためである。また、側面８０Ｃは、上嵌入部８の底面６ａまで延出している。
【０１０１】
水撥ね部５０には、側面３Ａと側面３Ｂ’との境界である辺を通り、側面３Ａと側面３Ｂ’との角度を二等分する鉛直面に対して左右対称の切欠き面１３ａが存在し、その切欠き面１３ａは、下脚部５から１／２とした部分２ａを通って傾斜部７０の側面８０Ａ（１）まで、及び、同じく下脚部５から１／２とした部分２ａを通り、さらに傾斜部７０の長方形部分８０Ｂ（１）を通って略台形部分８０Ｂ（２）の一部にまで続いている（図２０参照）。
【０１０２】
小段用コンクリートブロック１７０は、貫通孔１２を有する。したがって、側面８０Ｃの幅方向中央には、当該貫通孔１２の大きさ及び形状を変化させないための鉛直方向の凹部８０Ｅが形成されている。「貫通孔１２の大きさ及び形状を変化させない」とは、凹部８０Ｅが、貫通孔１２に剛性棒を挿入することができるような空間を与えていることをいう。また、傾斜部７０の高さは、通常は１／２とした部分２ａの高さと同一乃至その１／３であり、好ましくは１／２とした部分２ａの高さと同一乃至その１／２である。
【０１０３】
図１９乃至図２１に示された傾斜部７０の側面８０Ａは、その一部（符号８０Ａ（２）で示されている部分）が内側に傾斜しており、残部（符号８０Ａ（１）で示されている下の方の部分）は傾斜していない。しかし、下の方の部分が鉛直ではなく、その上方（符号８０Ａ（２）で示されている部分）とは異なる角度で傾斜していてもよい。また、図２２や図２３に示された例のように、傾斜部７０の側面８０Ａは、その全部が内側に傾斜していてもよい。さらに、その一部が内側に傾斜している態様として、側面８０Ａの下方が内側に傾斜しており、上方は鉛直である又は下方とは異なる角度で傾斜しているような態様であってもよい。
【０１０４】
図２３に示された例のように、側面８０Ａの下端は、本体部２の１／２とした部分２ａの上端（図２３における側面３Ｂ’と側面８０Ｂとの境界の破線で示されている位置）より下方に存在していてもよい。これは、側面３Ａの上部が側面８０Ａの下方として内側に傾斜している態様ということもできる。
【０１０５】
本発明の小段用コンクリートブロックの「基本コンクリートブロックｘｘをその一側面３Ａに平行な面で且つ中央で縦に切断してなる他の１／２残部６０」は、基本コンクリートブロックｘｘを、ブロックの中央で、その一側面３Ａに平行な面で縦に切断して１／２としたものと、形状及び大きさが同一である。したがって、切欠き面及び貫通孔のない基本コンクリートブロック１００（図１乃至４を参照のこと）や、切欠き面１３及び貫通孔１２が存在する基本コンクリートブロック１１０（図５乃至８を参照のこと）に対応する小段用コンクリートブロックも、本発明の外周部用コンクリートブロックである。
【０１０６】
次に、同じく基本コンクリートブロック１５０（図９及び１０を参照のこと）と共に使用される、図２４乃至図２７に示した貫通孔１２、切欠き面１３、切欠き面１３ａ、切欠き面１６、切欠き面１７、ハンチ面２６及びハンチ面２７を有する１．５体の小段用コンクリートブロックについて説明する。図２４は、基本コンクリートブロック１５０の１．５倍の大きさの、本発明の１．５体の小段用コンクリートブロックの一例を示す斜視図であり、図２５は、図２４とは１８０°異なる角度から俯瞰した斜視図であり、図２６は上面図であり、図２７は側面図である。
【０１０７】
小段用のコンクリートブロック１８０は、基本コンクリートブロック部１５０（図２６及び図２７において、一点鎖線よりも左側）と、水撥ね部５５（図２６及び図２７において、一点鎖線よりも右側）とが、各々の一側面３Ａ同士で結合されてなる。水撥ね部５５は、基本コンクリートブロック１５０の本体部２をその一側面３Ａに平行で且つ中央の面３Ｃで縦に切断してなる本体部２の１／２とした部分であって上嵌入部８を有さない部分２ｂと、二つの下脚部５，５と、１／２とした部分２ｂの上面１９ｂ（図２４及び図２６を参照のこと）上に形成された傾斜部７５とを有する。前記基本コンクリートブロック部１５０の一側面３Ａと水撥ね部５５の一側面３Ａとが結合されている。
【０１０８】
基本コンクリートブロック部１５０（図９及び１０を参照のこと）が貫通孔１２を有するので、水撥ね部５５には、本体部２を中央で縦に切断した結果現れた面（１．５体の小段用コンクリートブロック１８０の外側面）３Ｃの幅方向中央部に、切欠き面１３ａを二つ結合したものと同様の部分１２ａを有する。この部分１２ａは、見掛け上の貫通孔１４を構成することとなる。
【０１０９】
傾斜部７５は、本体部２の中央で縦に切断してなる面（１．５体の小段用コンクリートブロック１８０の外側面）３Ｃから延出した側面８５Ａと、面３Ｃの両側に位置する側面３Ｂ’,３Ｂ’の各々から延出した側面８５Ｂ，８５Ｂと、二つの側面８５Ｂ，８５Ｂを切欠き面１３ａ，１３ａを介して間接的に繋ぎ且つ結合面３Ａに平行な側面８５Ｃと、上面８５Ｄとを有する。ここで、１．５体の小段用コンクリートブロック１８０では、側面８５Ａは、その全部が内側に傾斜しており、また、その下端は、１／２とした部分２ｂの上端（図２７における上方の水平破線部の位置）と一致している。しかし、小段用コンクリートブロック１７０についての説明に記載したように、側面８５Ａは、その一部のみが内側に傾斜しているものであってもよいし、また、その下端は、１／２とした部分２ｂの上端より下方に存在していてもよい。
【０１１０】
二つの側面８５Ｂ，８５Ｂの各々は、側面３Ｂ’に共通する側面である。側面８５Ｃは、基本コンクリートブロック部１５０との結合面３Ａよりも、１／２とした部分２ｂ側において、若干内側に後退した位置にある。これは、側面８０Ｃを、結合面３Ａと同じ個所に形成すると、ブロック製作時の製作誤差、ブロックを配置する基礎面の凹凸及びブロック積み上げ施工における僅かの余裕の必要性が満たされず、基本コンクリートブロック部１５０の上嵌入部８に下脚部５が挿入され得ない事態を招来する可能性があり、それを防ぐためである。なお、図２４乃至図２７に示した例は、切欠き面１３ａを有するため、側面８５Ｃは二つの側面８５Ｂ，８５Ｂを間接的に繋いでいるが、切欠き面１３並びに１３ａを有さない態様の場合には、側面８５Ｃは二つの側面８５Ｂ，８５Ｂを直接繋ぐ。
【０１１１】
傾斜部７５の高さは、通常は１／２とした部分２ａの高さと同一乃至その１／３であり、好ましくは１／２とした部分２ａの高さと同一乃至その１／２である。
【０１１２】
基本コンクリートブロック１００（図１乃至４を参照のこと）に対応する小段用コンクリートブロックの場合には、貫通孔１２及び凹部８０Ｅが存在しない。基本コンクリートブロック１１０（図５乃至８を参照のこと）に対応する小段用のコンクリートブロックの場合には、傾斜部７０の形状及び大きさは、小段用コンクリートブロック１７０の傾斜部７０と同様である。異なるのは、基本コンクリートブロックの形状及び大きさに対応した部分、即ち、「基本コンクリートブロックｘｘをその一側面３Ａに平行な面で且つ中央で縦に切断してなる他の１／２残部６０」の形状及び大きさである。
【０１１３】
端辺用コンクリートブロック１２０をその基本形状とする、小段用コンクリートブロックもある。この場合には、図１３において符号１１５で示された１／２部分の代わりに、水撥ね部５５を設ける。
【０１１４】
続いて、本発明のマスコンクリート構造物の構築方法について説明する。先ず、図５乃至図８に示した貫通孔１２及び切欠き面１３を有する基本コンクリートブロック１１０のみを使用する場合について説明し、次いで、基本コンクリートブロック１１０、端辺用のコンクリートブロック１２０及び角部用のコンクリートブロック１３０及び１４０を使用して、外縁壁が鉛直な又は外縁壁勾配が自由に設定可能なマスコンクリート構造物を構築する場合について説明する。
【０１１５】
図１６は、マスコンクリート構造物の構築に際し、第１のブロック層の配置を破線で示し、第２のブロック層については、基本コンクリートブロック１１０Ｅを１個のみ実線で示した平面図である。図１７は、第１乃至第３のブロック層を積み上げた状態を示す透視断面図である。第１のブロック層の構築のために、４個のコンクリートブロック１１０Ａ，１１０Ｂ，１１０Ｃ，１１０Ｄを、各ブロックの切欠き面１３，１３，１３，１３を集結させることにより、その横断面形状が貫通孔１２の横断面形状と同様の見掛け上の貫通孔１４を形成させて一単位を構成させる。図１６においては、見掛け上の貫通孔１４は、第２のブロック層のコンクリートブロック１１０Ｅの貫通孔１２の真下に位置している。第１のブロック層は、一単位以上を備えるものであるが、「一単位以上」とは、必ずしも整数単位を意味するものではなく、例えば６個の基本コンクリートブロック１１０を使用して第１のブロック層を構築すれば、１．５単位ということになる。
【０１１６】
一単位の平面形状は、略長方形である。略長方形の概念には、略正方形が包含される。「略」と称しているのは、切欠き面１３に由来する凹部が存在し、厳密な意味での長方形ではないからである。また、「略長方形」と規定したのは、基本コンクリートブロック１１０の平面形状が長方形である場合に、４個のコンクリートブロックの側面同士を連結させると、その平面形状がＴ字型、Ｉ字型、風車型の集合体（一単位）も得られるが、それらを排除するためである。
【０１１７】
図１６には、７個の基本コンクリートブロック１１０（図５乃至８を参照のこと）を使用して構築された第１のブロック層が記載されている。これは、４個の基本コンクリートブロック１１０Ｄ，１１０Ｃ，１１０，１１０を同形状且つ同寸法の側面同士を接触させて横に並べ、次いで、図１６においてはその下列となる位置に、３個の基本コンクリートブロック１１０Ａ，１１０Ｂ，１１０を横に並べたものである。
【０１１８】
第２のブロック層は、第１のブロック層の各基本コンクリートブロック１１０の上嵌入部８に、第２のブロック層となる１乃至４個の基本コンクリートブロック１１０に由来する１乃至４本の下脚部５を挿入し、且つ、第１のブロック層の１乃至４個の基本コンクリートブロック１１０に由来する１乃至４本の上脚部４を、第２のブロック層となる基本コンクリートブロック１１０の下嵌入部１１に挿入して構築する。図１６においては、第１のブロック層の基本コンクリートブロック１１０Ａの上嵌入部８Ａ、基本コンクリートブロック１１０Ｂの上嵌入部８Ｂ、基本コンクリートブロック１１０Ｃの上嵌入部８Ｃ及び基本コンクリートブロック１１０Ｄの上嵌入部８Ｄの各々に、第２のブロック層の基本コンクリートブロック１１０Ｅの下脚部５，５，５，５が１本ずつ挿入されている。
【０１１９】
第１のブロック層を構成するブロックであって、１個の基本コンクリートブロック１１０の上嵌入部８に、第２のブロック層の各々が異なる基本コンクリートブロック１１０に由来する４本の下脚部５，５，５，５が挿入されると、第１のブロック層の基本コンクリートブロック１１０の貫通孔１２の上に、第２のブロック層の基本コンクリートブロック４個によって形成された見掛け上の貫通孔１４が重なる。
【０１２０】
第２のブロック層を構成する各基本コンクリートブロック１１０は、第１のブロック層を構成する４個の基本コンクリートブロック１１０，１１０，１１０，１１０の各々の、上面の面積の１／４の部分の上に載ることになる。この際、図１７から明らかなように、第１のブロック層の基本コンクリートブロック１１０の突出している上脚部４は、第２のブロック層の基本コンクリートブロック１１０の下嵌入部１１中に嵌入する。上脚部４の内側面の傾斜角度と下嵌入部１１の側面の傾斜角度は一致しているため、換言すれば、下嵌入部１１の側面７ｂ１，７ｂ２は、上脚部４の内側の二側面９ａ，９ｂの傾斜角とほぼ同一の傾斜角を有するため、第１のブロック層のブロックと第２のブロック層のブロックとの係合が安定したものとなると共に、施工時に嵌入部と脚部の傾斜した側面がガイドの役目をはたし、その結果、自重によって上下のブロックが互いに所定の位置に誘導されるので、施工が容易となる。第３のブロック層以降は第２のブロック層と同様にコンクリートブロックを積み上げて構築する。
【０１２１】
図１６には、第２のブロック層の基本コンクリートブロック１１０Ｅを、実線で１個のみ描いた。図１６において、第１のブロック層を構成する基本コンクリートブロック１１０Ａ，１１０Ｂ，１１０Ｃ，１１０Ｄの上脚部４や上嵌入部８Ａ，８Ｂ，８Ｃ，８Ｄを示した線（破線）と、第２のブロック層の基本コンクリートブロック１１０Ｅを示した実線にはずれがあり、一致していない。土木工事においては、構築すべき場所の地形が様々であり、また地盤の整地が不充分であることもある。したがって、常に計算通りにブロックを配置できるものではない。よって、多少のずれを許容したブロック形状の設計が必要である。本発明の基本コンクリートブロック１１０においては、上嵌入部８及び下嵌入部１１の深さが、それぞれ、下脚部５及び上脚部４の高さよりも大きく、上嵌入部８及び下嵌入部１１の広さは、それぞれ、４本の下脚部５，５，５，５及び４本の上脚部４，４，４，４を、切欠き面１３を中心にして集結させた大きさよりも広い。このような事情が、前記した実線と破線とのずれとして、図１６に示されているのである。このずれは、構築場所の起伏等に起因する寸法の不一致を吸収し、現実のマスコンクリート構造物の構築作業を容易にする。
【０１２２】
図１７は、ブロック層とブロック層との境界を示した縦断面の透視図である。破線で示してある部分は、第２のブロック層の、第１のブロック層及び第３のブロック層に隠れている部分である。第１のブロック層及び第３のブロック層には、基本コンクリートブロック１１０を４個並べた。第２のブロック層については、３個の基本コンクリートブロック１１０の中心線断面部が見えている。なお、図１７では、吊り金具収納部１５の記載は省略した。また、第２のブロック層については、両端部の基本コンクリートブロック１１０の記載を省略した。第２のブロック層の貫通孔１２は、第１のブロック層及び第３のブロック層の見掛け上の貫通孔１４，１４と連通しており、したがって、マスコンクリート構造物全体の最上層から最下層まで、孔が貫通していることになる。これらの貫通孔及び見掛け上の貫通孔の全部又は一部に剛性棒を通せば、マスコンクリート構造物の上下方向の結合をより一層強固にすることができる。剛性棒とは、例えばステンレス綱製等の各種綱棒や鉄棒をいう。なお、剛性棒の挿入方法等については、後記する。
【０１２３】
図１７においても、第１のブロック層を構成するブロック１１０の上脚部４の内側の二側面９ａ，９ｂの傾斜角度と、第２のブロック層を構成するブロック１１０の下嵌入部１１の側面７ｂ１，７ｂ２の傾斜角度とはほぼ一致しているが、両者の間に隙間がある。図１６について説明したように、この隙間が、何層ものブロックを積み上げていく場合に避けることができない多少のずれを吸収するのである。
【０１２４】
図１６に示した例においては、第２のブロック層の外周の位置は、第１のブロック層を構成するブロックであって最外部に位置するブロックの外周の位置から、ブロックの横断面における一辺の長さの１／２だけ、内側に寄った個所となる。すなわち、マスコンクリート構造物の外縁部は、階段状又はピラミッド状となっている。
【０１２５】
図１６に示された例とは逆に、ブロック層一層につき、縦横各々で、ブロックの横断面における一辺の長さの１／２ずつ増加するように、すなわち上方に向かって広くなるように、コンクリートブロックを配置することもできる。換言すれば、第２のブロック層を積むと、上方からは第１のブロック層の外縁部が見えなくなるような、外縁部が逆階段状となるような積み方であってもよい。ここで、外縁部を構成する四辺すべてが、階段状又は逆階段状となっていなければならないということではない。谷地形の場合の上下流方向やダムの軸方向等、マスコンクリート構造物を構築する現場の地形や構造物に合わせて、各辺につき、階段状又は逆階段状とすればよい。
【０１２６】
次に、マスコンクリート構造物の外縁壁が鉛直である、すなわち各層の平面の面積及び形状が同一であるマスコンクリート構造物の構築方法について、図１８を参照しながら説明する。図１８においては、第１のブロック層の配置を破線で示し、第２のブロック層の配置を実線で示した。
【０１２７】
第１のブロック層は、多数の基本コンクリートブロック１１０（図５乃至図８を参照のこと）を、同側面３，３同士を接触させて縦横に並べることによって構築する。第２のブロック層については、端辺には図１３に示す端辺用のブロック１２０を、ブロックの平面形状の長方形において短辺となる側面二つの中で、その中央に貫通孔１２の１／２を有する側面（すなわち切断面）を外側にして並べる。図１８の図面上の左最上部には、図１５に示した角部用のブロック１４０を、図１８の図面上の左最下部には、図１４に示した角部用のブロック１３０を、それぞれ配置する。これにより、第１のブロック層と同一面積、同一形状の第２のブロック層を得ることができる。
【０１２８】
第３のブロック層以降については、奇数層には第１層の配置を、偶数層には第２層の配置を用いればよい。なお、図１８における第２のブロック層の配置を奇数層の配置とし、第１のブロック層の配置を偶数層の配置としても差支えない。
【０１２９】
基本コンクリートブロック１１０に、１．５体の端辺用コンクリートブロック１２０、角部用コンクリートブロック１３０，１４０を組み合わせて使用することにより、マスコンクリート構造物の両側面が鉛直な外縁壁であり、その幅が、基本コンクリートブロック１１０の幅の１．５倍、２．０倍、２．５倍、３．０倍、３．５倍、４．０倍………等のマスコンクリート構造物を構築することが可能となる。
【０１３０】
基本コンクリートブロック１１０に、１．５体の端辺用コンクリートブロック１２０、角部用コンクリートブロック１３０，１４０を組み合わせて使用することにより、ブロックの層間の幅の相違、すなわち小段幅を、基本コンクリートブロック１１０の幅の０．５倍、１．０倍、１．５倍、２．０倍………等とすることができる。また、マスコンクリート構造物の外縁壁勾配の形状を、自由に設計することができる。マスコンクリート構造物の形状を、小段幅が大きくなるように設計すれば、マスコンクリート構造物の外縁の見かけ上の勾配を緩やかにすることもできる。一方、何層かのブロック層を外縁が鉛直となるように積み上げる毎に、基本コンクリートブロックの幅の０．５倍の小段を設けることにより、外縁の見かけ上の勾配が急勾配であるマスコンクリート構造物を構築することも可能となる。
【０１３１】
以上の説明において取り上げた基本コンクリートブロックの大部分は、本体部２が、その平面形状が正方形の直方体のものの例である。しかし、これは一例であり、本体部２が、その平面形状が長方形の直方体のもの、例えば図３１乃至図３３に記載したものも、本発明に包含される。但し、この場合には方向性が生じるため、端辺用のブロックは、２個の基本コンクリートブロックを辺の長さが長い方の側面同士で連結し、その後、一方のブロックを連結した面と平行な面で且つ中央で切断した形状のものと、２個の基本コンクリートブロックを辺の長さが短い方の側面同士で連結し、その後、一方のブロックを連結した面と平行な面で且つ中央で切断した形状のものとの２種類を要し、角部用ブロックは、この２種類の端辺用のブロックの各々を、連結した面と直交する面で且つ中央で切断した形状のもの、すなわち４種類を必要とする。しかも、ブロックの打設、組立てにあたって、常に方向性に気を配る必要が生じる。また、図３０及び図３２に記載した例のように、上脚部４や下脚部５の平面形状が長方形のものも、本発明に包含される。このような基本コンクリートブロックを採用した場合にも、端辺用や角部用のブロックの製造やブロックの打設、組立てにあたって、同様に方向性に気を配る必要が生じる。
【０１３２】
次に、小段用コンクリートブロックを用いた、マスコンクリート構造物の構築方法について、図２８及び図２９を参照しながら説明する。なお、これらの図においては、図を分かり易くするため、上下の層のブロック同士が噛み合う個所について、記載を簡略化している。すなわち、正確には、上層のブロックの端部（例えば下嵌入部１１の側面７ｂ１）を示す線と、下層のブロックの端部（例えば上脚部４の側面９ａ）を示す線の両者を記載すべきであるが、これらが重なっているように、すなわち１本の線で記載している。また、これらの図において、切欠き面１３，１３ａを示す縦線は省略している。小段用コンクリートブロック１７０（図１９乃至２３を参照のこと）及び１．５体の小段用コンクリートブロック１８０（図２４乃至２７を参照のこと）は、堰堤水通し部において使用する。
【０１３３】
図２８に示すように、第１層及び第３層のすべてと、第２層、第４層及び第５層の左側端部を除くマスコンクリート構造物の内側に、基本コンクリートブロック１５０（図９及び図１０を参照のこと）を使用した場合、小段用コンクリートブロック１７０は、奇数層である第５層の最外列に、傾斜部７０の側面８０Ａが外側となるように配列する。また、図２９に示すように、第１層及び第３層のすべてと、第２層及び第４層の左側端部を除くマスコンクリート構造物の内側に、基本コンクリートブロック１５０（図９及び図１０を参照のこと）を使用した場合、１．５体の小段用コンクリートブロック１８０は、偶数層である第４層において、最外列に、傾斜部７５の側面８５Ａが外側となるように配列する。このように小段用コンクリートブロック１７０，１８０を使用すると、堰堤水通し部において、落下水流や土石の衝撃を緩和することができる。
【０１３４】
続いて、剛性棒を使用するブロック層間の連結について説明する。剛性棒は、如何なる方法によって固定してもよい。例えば、貫通孔及び見掛け上の貫通孔（以下、まとめて単に「孔」ということがある）の横断面形状が正方形である場合、その対角線が最も長く、相対向する辺同士の間隔が最も短い。そこで、対角線の長さよりも短く且つ相対向する辺同士の間隔よりも長いという長さの鋼板２枚を用意し、それらを中央部で直交させて十字型とし、あるいは、鋼板を十字型に切断して又は十字型の鋳型に溶けた鋼を注入して制作した鋼材を、剛性棒の先端付近に固定すれば、孔の対角線部分を利用して、孔に剛性棒を容易に挿入することができる。剛性棒は、所定位置まで挿入され、約４５度回転させられる。これにより、十字型の鋼板を、コンクリートブロックの下嵌入部上壁（又は吊金具収納部上端）に引っかけて、剛性棒を孔に固定することができる。
【０１３５】
なお、剛性棒の長さは、構築物の最下層から最上層までを一挙に連結することができる長さであってもよいし、３層のブロック層を連結することができる長さであってもよい。あるいは、剛性棒の長さは、５層のブロック層を連結することができる長さや７層のブロック層を連結することができる長さであってもよい。３層のブロック層を連結する場合、ブロック層を３段積み上げたところで、それら３層のブロック層の高さ（下層のブロックの下嵌入部上壁（又は吊り金具収納部上端）から、見掛け上の貫通孔を間に挟み、上層のブロックの貫通孔の上面までの長さ）にほぼ匹敵する長さの剛性棒を使用して、３層のブロック層を連結する。なお、剛性棒による連結は、全ての孔について行わなければならないというものではない。
【０１３６】
剛性棒挿入後の孔に残った空間は、そのままでもよいが、そのような空間に、水と混練して未だ硬化しないセメントやモルタル等の水硬性物質を流入させ、硬化させてもよい。また、剛性棒の長さ方向中間部に、中空の二つ割の鞘管であって、その外径が孔の一辺の長さよりもやや小さく、且つ、その内径が剛性棒の太さよりもやや大きいものを取付け、剛性棒の偏心を防止することによって、剛性棒を固定することも出来る。
【０１３７】
本発明の基本コンクリートブロック１５０（図９及び図１０を参照のこと）又は基本コンクリートブロック１６０（図１１及び図１２を参照のこと）を使用するマスコンクリート構造物の構築方法は、基本コンクリートブロック１１０（図５乃至図８を参照のこと）を使用するマスコンクリート構造物の構築方法と同様である。
【０１３８】
次に、本発明の基本コンクリートブロック１００（図１及び図４を参照のこと）を使用するマスコンクリート構造物の構築方法について説明する。なお、基本コンクリートブロック１１０（図５乃至図８を参照のこと）を使用する場合と概略同様であるため、図示は省略した。
【０１３９】
基本コンクリートブロック１００を使用する場合に、基本コンクリートブロック１１０を使用する場合とは異なる点は、第１のブロック層の構築にあたり、４個の基本コンクリートブロックからなる一単位を構成させるに際に、各ブロックの切欠き面１３の代わりに、各ブロックにおいて二側面の境界である４本の辺の中の１本が中央付近に来るように、ブロックを集結させることのみである。これ以外は、貫通孔及び見掛け上の貫通孔が無いことを除き、基本コンクリートブロック１１０を使用する場合のマスコンクリート構造物の構築方法の説明が、同様にあてはまる。
【０１４０】
本発明の基本コンクリートブロックの大きさは、特に限定されないが、一例を示すと、次のとおりである。ブロックの設計寸法は、本体部２の直方体の寸法が、縦、横各１２０ｃｍ、高さ６０ｃｍであり、その製作寸法は、本体部２の直方体の寸法が、縦、横各１１４ｃｍ、高さ６０ｃｍであり、本体部２の上面１９の枠幅（上嵌入部８の上端の外周を構成する辺と、本体部２の上面１９の外周を構成する辺との間の距離）が２７ｃｍであり、上脚部４の底面（正方形）の一辺の長さが２７ｃｍであり、本体部２の下面２０の枠幅（下嵌入部１１の下端の外周を構成する辺と、本体部２の下面２０の外周を構成する辺との間の距離）が２７ｃｍであり、下脚部５の天井（正方形）の一辺の長さが２７ｃｍであり、上脚部４及び下脚部５の高さが１４ｃｍであり、上嵌入部８の上端（正方形）の一辺の長さ及び下嵌入部１１の下端（正方形）の一辺の長さが６０ｃｍであり、上嵌入部８及び下嵌入部１１の深さが１６ｃｍである。
【０１４１】
本発明において使用するコンクリートブロックは、配筋されたものであってもよい。コンクリートブロックにかかる曲げ外部応力や引張外部応力がコンクリート許容応力よりも大きくなることが予想される場合には、鉄筋などの耐引張応力性に優れた材料を用いて配筋することが好ましい。また、海水などの作用により、鉄筋の腐食が想定される場合には、耐腐食性のある材料（ステンレス綱や高強度プラスチック）や、塗装鉄筋等の錆防止対策を施してなる物を使用することが好ましい。
【０１４２】
コンクリートブロックの角部（偶部）は、特に角部を構成する二面間の角度が１１０度より小さい鋭角の場合には、面取りを施すことが好ましい。これにより、角部の欠けやクラックを予防乃至低減できる。なお、コンクリートブロックの製造に際しては、面取りを施すのが通常であるが、コンクリートブロックの形状を図示するに際しては、実際には面取りが施されていても、図面には単なる角部として描画されている場合が多い。本件明細書に添付した図面においても、面取りは省略している。
【符号の説明】
【０１４３】
２：  基本コンクリートブロックの本体部
２ａ：  本体部２の１／２とした部分であって実質的に上嵌入部８を有さない部分
２ｂ：  本体部２の１／２とした部分であって上嵌入部８を有さない部分
３，３Ａ，３Ｂ：  本体部２の側面
３Ｂ’ ：  水撥ね部の側面
３Ｃ：  本体部２の側面３Ａに平行な中央の面
４：  上脚部
５：  下脚部
６ａ：  上嵌入部の底面
６ｂ：  下嵌入部の天井
６ｃ：  吊り金具収納部の天井
７ａ１，７ａ２：  上嵌入部の側面
７ｂ１，７ｂ２：  下嵌入部の側面
８：  上嵌入部
９ａ，９ｂ：  上脚部内側の側面
９ｃ，９ｄ：  上脚部外側の側面
１０ａ，１０ｂ：  下脚部内側の側面
１０ｃ，１０ｄ：  下脚部外側の側面
１１：  下嵌入部
１２：  貫通孔
１２ａ：  切欠き面１３ａを二つ結合したものと同様の部分
１３：  ブロック四隅の切欠き面
１３ａ：  ブロック隅の切欠き面
１４：  見掛け上の貫通孔
１５：  吊り金具収納部
１６：  上脚部内側の切欠き面
１７：  下脚部内側の切欠き面
１８：  基本コンクリートブロック２体を連結した面
１９：  本体部の上面
１９ｂ：  １／２とした部分２ｂの上面
２０：  本体部の下面
２６：  上嵌入部の側面角部のハンチ面
２７：  下嵌入部の側面角部のハンチ面
３１：  上脚部内側の二側面９ａ，９ｂの境界を成す辺
３２：  下脚部内側の二側面１０ａ，１０ｂの境界を成す辺
４１：  上脚部外側の二側面９ｃ，９ｄの境界を成す辺
４２：  下脚部外側の二側面１０ｃ，１０ｄの境界を成す辺
５０，５５：  水撥ね部
６０：  基本コンクリートブロックの他の１／２残部
７０，７５：  傾斜部
８０Ａ，８０Ｂ，８０Ｃ，８５Ａ，８５Ｂ，８５Ｃ：  水撥ね部の側面
８０Ｄ，８５Ｄ：  水撥ね部の上面
８０Ｅ：  水撥ね部の貫通孔に繋がる鉛直方向の凹部
１００，１１０，１５０，１６０：  基本コンクリートブロック
１１５：  基本コンクリートブロックの１／２断片
１２０：  １．５体の端辺用コンクリートブロック
１３０，１４０：  角部用コンクリートブロック
１７０：  小段用コンクリートブロック
１８０：  １．５体の小段用コンクリートブロック
【図１】
2013092005.tif 000003
【図２】
2013092005.tif 000004
【図３】
2013092005.tif 000005
【図４】
2013092005.tif 000006
【図５】
2013092005.tif 000007
【図６】
2013092005.tif 000008
【図７】
2013092005.tif 000009
【図８】
2013092005.tif 000010
【図９】
2013092005.tif 000011
【図１０】
2013092005.tif 000012
【図１１】
2013092005.tif 000013
【図１２】
2013092005.tif 000014
【図１３】
2013092005.tif 000015
【図１４】
2013092005.tif 000016
【図１５】
2013092005.tif 000017
【図１６】
2013092005.tif 000018
【図１７】
2013092005.tif 000019
【図１８】
2013092005.tif 000020
【図１９】
2013092005.tif 000021
【図２０】
2013092005.tif 000022
【図２１】
2013092005.tif 000023
【図２２】
2013092005.tif 000024
【図２３】
2013092005.tif 000025
【図２４】
2013092005.tif 000026
【図２５】
2013092005.tif 000027
【図２６】
2013092005.tif 000028
【図２７】
2013092005.tif 000029
【図２８】
2013092005.tif 000030
【図２９】
2013092005.tif 000031
【図３０】
2013092005.tif 000032
【図３１】
2013092005.tif 000033
【図３２】
2013092005.tif 000034
【図３３】
2013092005.tif 000035
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
直方体形状の本体部（２）と、本体部（２）の上面（１９）の四隅から延出する、本体部（２）の側面（３Ａ），（３Ｂ）に各々共通する側面（９ｃ），（９ｄ）及び側面（９ｃ）に隣接する内側の側面（９ｂ）、側面（９ｄ）に隣接する内側の側面（９ａ）を有する四角錐台形状の４本の上脚部（４），（４），（４），（４）と、本体部（２）の下面（２０）の四隅から延出する、本体部（２）の側面（３Ａ），（３Ｂ）に各々共通する側面（１０ｃ），（１０ｄ）及び側面（１０ｃ）に隣接する内側の側面（１０ｂ）、側面（１０ｄ）に隣接する内側の側面（１０ａ）を有する逆四角錐台形状の４本の下脚部（５），（５），（５），（５）とを有するコンクリートブロックであって、
上脚部（４）の上面は本体部（２）の上面（１９）と平行であり、下脚部（５）の下面は本体部（２）の下面（２０）と平行であり、
本体部（２）は、その上面（１９）の中央部には逆四角錐台形状の上嵌入部（８）を、下面（２０）の中央部には四角錐台形状の下嵌入部（１１）を有し、
ここで、上嵌入部（８）の底面（６ａ）は、本体部（２）の上面（１９）と平行であり、上嵌入部（８）の上端である外周の位置は、上嵌入部（８）が上脚部（４），（４），（４），（４）と重ならず且つ当該外周を形成する四辺すべての外側に上面（１９）が存在することが必要であり、上嵌入部（８）の側面（７ａ１），（７ａ２）の傾斜角は、各々、下脚部（５）の内側の側面（１０ａ），（１０ｂ）の傾斜角と同一の角度であり、
下嵌入部（１１）の天井（６ｂ）は、本体部（２）の下面（２０）と平行であり、下嵌入部（１１）の下端である外周の位置は、下嵌入部（１１）が下脚部（５），（５），（５），（５）と重ならず且つ当該外周を形成する四辺すべての外側に下面（２０）が存在することが必要であり、下嵌入部（１１）の側面（７ｂ１），（７ｂ２）の傾斜角は、各々、上脚部（４）の内側の側面（９ａ），（９ｂ）の傾斜角と同一の角度であり、
上嵌入部（８）の深さは、下脚部（５）の高さよりも大きく、上嵌入部（８）の大きさは、４個のコンクリートブロックにおける各々１本の下脚部（５），（５），（５），（５）を、下脚部（５）の外側の二側面（１０ｃ），（１０ｄ）の境界である辺（４２）が中央に来るように集結させた大きさよりも大きく、したがって、上嵌入部（８）には、４個のコンクリートブロックにおける各々１本の下脚部（５），（５），（５），（５）を、下脚部（５）の外側の二側面（１０ｃ），（１０ｄ）の境界である辺（４２）が中央に来るように集結させて挿入することができ、そして、
下嵌入部（１１）の深さは、上脚部（４）の高さよりも大きく、下嵌入部（１１）の大きさは、４個のコンクリートブロックにおける各々１本の上脚部（４）、（４），（４），（４）を、上脚部（４）の外側の二側面（９ｃ），（９ｄ）の境界である辺（４１）が中央に来るように集結させた大きさよりも大きく、したがって、下嵌入部（１１）には、４個のコンクリートブロックにおける各々１本の上脚部（４），（４），（４），（４）を、上脚部（４）の外側の二側面（９ｃ），（９ｄ）の境界である辺（４１）が中央に来るように集結させて挿入することができることを特徴とする基本コンクリートブロック。
【請求項２】
下嵌入部（１１）を更に深く穿設して吊り金具収納部（１５）を設けたことを特徴とする請求項１に記載する基本コンクリートブロック。
【請求項３】
上嵌入部（８）の中心には、その横断面形状が円形、楕円形又は前記上嵌入部（８）の底面（６ａ）の４辺と斜角で交わる直線によって囲まれた四辺形の貫通孔（１２）が、吊り金具収納部（１５）の天井（６ｃ）又は下嵌入部（１１）の天井（６ｂ）に達するように穿設され、本体部（２）の四隅と、上脚部（４）及び下脚部（５）の本体部（２）の四隅から延出する部位には、円弧状若しくは楕円弧状の切欠き面（１３）又は四角形の貫通孔（１２）の一辺と平行な直線で切欠かれた切欠き面（１３）が設けられていることを特徴とする請求項１又は２に記載する基本コンクリートブロック。
【請求項４】
上脚部（４）は、内側の二側面（９ａ），（９ｂ）の境界である辺（３１）を含む境界部を切欠いた台形状の切欠き面（１６）を有し、下脚部（５）は、内側の二側面（１０ａ），（１０ｂ）の境界である辺（３２）を含む境界部を切欠いた台形状の切欠き面（１７）を有し、上脚部（４）の台形状の切欠き面（１６）及び下脚部（５）の台形状の切欠き面（１７）は、同形状若しくは対称な同形状であるとともに、同寸法且つ同勾配であり、
上嵌入部（８）は、その側面（７ａ１）と側面（７ａ２）との境界部に下脚部（５）の切欠き面（１７）に対応するハンチ面（２６）を有し、下嵌入部（１１）は、その側面（７ｂ１）と側面（７ｂ２）との境界部に上脚部（４）の切欠き面（１６）に対応するハンチ面（２７）を有する、請求項１乃至３のいずれか一項に記載の基本コンクリートブロック。
【請求項５】
請求項１乃至４のいずれかに記載する基本コンクリートブロックであって同じもの２体を、同形状且つ同寸法の一側面を共通にして連結した後、一方の前記基本コンクリートブロックを連結した面と平行な面で且つ中央で切断した形状を有し、平面形の長さが前記基本コンクリートブロックの略１．５体分の長さであることを特徴とする端辺用コンクリートブロック。
【請求項６】
請求項５に記載する端辺用コンクリートブロックを、前記基本コンクリートブロック同士を連結した面と直交する面で且つ中央で切断した形状を有する、角部用コンクリートブロック。
【請求項７】
マスコンクリート構造物の建設地に、円弧状若しくは楕円弧状の切欠き面（１３）又は前記四角形の貫通孔（１２）の一辺と平行な直線で切欠かれた切欠き面（１３）を有する請求項３又は４に記載する基本コンクリートブロックであって、同形状且つ同寸法の前記基本コンクリートブロック４個を、各前記基本コンクリートブロックの円弧状若しくは楕円弧状の切欠き面（１３）又は前記四角形の貫通孔（１２）の一辺と平行な直線で切欠かれた切欠き面（１３）を集結させることにより、見掛け上の貫通孔（１４）を形成させて一単位を構成させ、第１のブロック層を構築し、ここで、前記第１のブロック層は、一単位以上を備えるものであり、且つ、一単位の平面形の外周形状は方形であり、
次いで、前記第１のブロック層の各前記基本コンクリートブロックの上嵌入部（８）に、第２のブロック層の構成要素となる１乃至４個の前記基本コンクリートブロックであって、前記第１のブロック層を構成するものと同形状且つ同寸法のものの各々に由来する１乃至４本の下脚部（５）を挿入し且つ前記第２のブロック層の構成要素となる各前記基本コンクリートブロックの下嵌入部（１１）に、前記第１のブロック層の１乃至４個の前記基本コンクリートブロックの各々に由来する１乃至４本の上脚部（４）を挿入して前記第２のブロック層を構築し、これにより、前記第１のブロック層の貫通孔（１２）の上に、前記第２のブロック層の前記基本コンクリートブロックの見掛け上の貫通孔（１４）が重なり、
第３のブロック層以降は前記第２のブロック層と同様に前記基本コンクリートブロックを積み上げることを特徴とする基本コンクリートブロックを用いたマスコンクリート構造物の構築方法。
【請求項８】
請求項７に記載する基本コンクリートブロックを用いたマスコンクリート構造物の構築方法であって、ブロック層を積み上げるにあたり、マスコンクリート構造物のブロック層の端辺には、請求項５に記載する端辺用コンクリートブロックを、その側面の中、前記基本コンクリートブロックの中央で切断した切断面に相当する側面がマスコンクリート構造物の端辺を構成するように配置し、マスコンクリート構造物の角部には請求項６に記載する角部用コンクリートブロックを配置したブロック層と、請求項１乃至４に記載する基本コンクリートブロックのみが配置されるブロック層とを、交互に積み上げることを特徴とする、マスコンクリート構造物の構築方法。
【請求項９】
請求項７又は８に記載する方法でのマスコンクリート構造物の構築方法において、請求項３又は４に記載する基本コンクリートブロック、請求項５に記載する端辺用コンクリートブロック及び請求項６に記載する角部用コンクリートブロックを用い、さらに、少なくとも３層の連続するブロック層において、上層及び下層の貫通孔（１２）及び中間層の見掛け上の貫通孔（１４）を貫通するように剛性棒を挿入する工程を実施する、マスコンクリート構造物の構築方法。
【請求項１０】
請求項１乃至４のいずれかに記載する基本コンクリートブロックの、本体部（２）をその一側面（３Ａ）に平行な面で且つ中央で縦に切断してなる本体部（２）の１／２とした部分であって実質的に上嵌入部（８）を有さない部分（２ａ）と、二つの下脚部（５），（５）と、前記１／２とした部分（２ａ）の上面（１９）上に形成された傾斜部（７０）とを有する水撥ね部（５０）と、請求項１乃至４のいずれかに記載する基本コンクリートブロックであって前記１／２とした部分（２ａ）を提供したものと同じものをその一側面（３Ａ）に平行な面で且つ中央で縦に切断してなる他の１／２残部（６０）とを有し、水撥ね部（５０）と前記他の１／２残部（６０）とは、切断面同士で結合されてなる小段用コンクリートブロックであって、
傾斜部（７０）は、前記１／２とした部分（２ａ）の側面（３Ａ）から延出した側面（８０Ａ）と、前記１／２とした部分（２ａ）の側面（３Ａ）の両側に位置する側面（３Ｂ’），（３Ｂ’）の各々から延出した側面（８０Ｂ），（８０Ｂ）と、二つの側面（８０Ｂ），（８０Ｂ）を繋ぐ側面（８０Ｃ）と、上面（８０Ｄ）とを有し、ここで、前記基本コンクリートブロックが貫通孔（１２）を有する場合には、側面（８０Ｃ）の幅方向中央部に、当該貫通孔（１２）の大きさ及び形状を変化させないための鉛直方向の凹部（８０Ｅ）を有し、
ここで、側面（８０Ａ）は、その少なくとも一部が内側に傾斜しており、前記二つの側面（８０Ｂ），（８０Ｂ）の各々は、前記１／２とした部分（２ａ）の側面（３Ｂ’），（３Ｂ’）に共通する側面であり、側面（８０Ｃ）は、前記他の１／２残部（６０）の内側の面と水撥ね部（５０）の１／２とした部分（２ａ）の内側の面とが結合された位置よりも、水撥ね部（５０）の内側に後退した位置にあり、したがって、水撥ね部（５０）の１／２とした部分（２ａ）には、上嵌入部（８）は、前記結合された位置と前記後退した位置との間にしか存在せず、且つ、側面（８０Ｃ）は、上嵌入部（８）の底面（６ａ）まで延出しており、
但し、側面（８０Ａ）の下端は、前記１／２とした部分（２ａ）の上端より下方に存在していてもよく、
前記基本コンクリートブロックが切欠き面（１３）を有するものである場合には、水撥ね部（５０）には、側面（３Ａ）と側面（３Ｂ’）との境界部に切欠き面（１３）と同一の幅と形状を有する切欠き面（１３ａ）が存在し、その切欠き面（１３ａ）は、下脚部（５）から側面（８０Ａ）の下端までの部分に存在しており、
そして、傾斜部（７０）の高さは前記１／２とした部分（２ａ）の高さと同一乃至その１／３であることを特徴とする小段用コンクリートブロック。
【請求項１１】
請求項１乃至４のいずれかに記載する基本コンクリートブロックと、その基本コンクリートブロックと同形状且つ同寸法の前記基本コンクリートブロックの本体部（２）をその一側面（３Ａ）に平行で且つ中央の面（３Ｃ）で縦に切断してなる本体部（２）の１／２とした部分であって上嵌入部（８）を有さない部分（２ｂ）、二つの下脚部（５），（５）、及び前記１／２とした部分（２ｂ）の上面（１９）上に形成された傾斜部（７５）を有する水撥ね部（５５）とを有し、前記基本コンクリートブロックの一側面（３Ａ）と水撥ね部（５５）の一側面（３Ａ）とが結合されてなる小段用コンクリートブロックであって、
前記基本コンクリートブロックが切欠き面（１３）を有するものである場合には、水撥ね部（５５）には、前記の結合された面（３Ａ）と側面（３Ｂ’）との境界部に切欠き面（１３）と同一の幅と形状を有する切欠き面（１３ａ）が、下脚部（５）から前記１／２とした部分（２ｂ）を通って傾斜部（７５）の上端までの部分に存在しており、
前記基本コンクリートブロックが貫通孔（１２）を有する場合には、水撥ね部（５５）の前記面（３Ｃ）の幅方向中央部に、切欠き面（１３ａ）を二つ結合したものと同様の部分（１２ａ）を有し、
傾斜部（７５）は、前記面（３Ｃ）から延出した側面（８５Ａ）と、前記面（３Ｃ）の両側に位置する側面（３Ｂ’），（３Ｂ’）の各々から延出した側面（８５Ｂ），（８５Ｂ）と、二つの側面（８５Ｂ），（８５Ｂ）を直接又は間接的に繋ぎ且つ前記の結合された面（３Ａ）に平行な側面（８５Ｃ）と、上面（８５Ｄ）とを有し、
ここで、側面（８５Ａ）は、その少なくとも一部が内側に傾斜しており、二つの側面（８５Ｂ），（８５Ｂ）の各々は、前記１／２とした部分（２ｂ）の側面（３Ｂ’），（３Ｂ’）に共通する側面であり、側面（８５Ｃ）は、前記の結合された面（３Ａ）よりも水撥ね部（５５）の内側に後退した位置にあり、したがって、水撥ね部（５５）との結合部側に存在する前記基本コンクリートブロックの二つの上脚部（４），（４）と上面（１９）は、水撥ね部（５５）の側面（８５Ｃ）に結合するように延長されており、
但し、側面（８５Ａ）の下端は、前記１／２とした部分（２ｂ）の上端より下方に存在していてもよく、
そして、傾斜部（７５）の高さは、前記１／２とした部分（２ｂ）の高さと同一乃至その１／３であり、平面形の長さが前記基本コンクリートブロックの略１．５体分の長さであることを特徴とする小段用コンクリートブロック。
【請求項１２】
請求項７乃至９に記載する方法でのマスコンクリート構造物の構築方法において、堰堤水通し部には、請求項１０に記載の小段用コンクリートブロック及び／又は請求項１１に記載の小段用コンクリートブロックを配置することを特徴とする請求項７乃至９に記載するコンクリートブロックを用いたマスコンクリート構造物の構築方法。
【手続補正２】
【補正対象書類名】明細書
【補正対象項目名】００５２
【補正方法】変更
【補正の内容】
【００５２】
次に、図面を参照して、本発明に係るコンクリートブロックの形状を説明する。
（１）基本コンクリートブロック（その１）
図１は、本発明の基本コンクリートブロック１００の平面形状が正方形の場合の一例を示す斜視図であり、図２はその平面図であり、図３は、その中心線断面図であり、図４は、その側面図である。
【手続補正３】
【補正対象書類名】明細書
【補正対象項目名】００７３
【補正方法】変更
【補正の内容】
【００７３】
図３３に示す基本コンクリートブロック１０４は、その本体部の平面（又は上面）形状は長方形（ここでは、「正方形」を含まない概念）であり、上脚部４及び下脚部５、上嵌入部８及び下嵌入部１１の平面形状は正方形であるが、上脚部と下脚部との大きさ並びに上嵌入部と下嵌入部との大きさが異なる。４本の上脚部４，４，４，４は互いに同形状且つ同寸法であり、且つ、４本の下脚部５，５，５，５も、互いに同形状且つ同寸法である。このように、基本コンクリートブロック１０４は、上脚部４，４，４，４と下脚部５，５，５，５とは、同形状ではあるが寸法が異なり、したがって、上嵌入部８と下嵌入部１１も同形状ではあるが寸法が異なる例である。図３３（１）は、基本コンクリートブロック１０４の上面図であり、図３３（２）は、その下面図である。この場合、コンクリートブロックを積み上げるに当たって、ブロックの脚部と嵌入部の形状が合うように、ブロックの上下方向を一致させる必要がある。また、コンクリートブロックを積み上げるに当たって、ブロックの平面の方向も一致させる必要がある。この例では、一つのブロックにおける本体部２の上面１９と上脚部４，４，４，４との接合面積が小さく、ブロック上脚部４，４，４，４のせん断抵抗力が小さくなるので、上脚部４，４，４，４のせん断強度をその分大きくすることが望ましい。また、ブロックを積み上げるにあたって、一つのブロックの本体部２の上面１９及び下面２０が、その上層及び下層に隣接する他のブロックの本体部２の下面２０及び上面１９と接する面積が小さくなることと、本体部２の上面１９の枠幅ｗ１が狭くなることから、ブロックの圧縮強度並びに曲げ強度をその分大きくすることが望ましい。
【手続補正４】
【補正対象書類名】明細書
【補正対象項目名】００７５
【補正方法】変更
【補正の内容】
【００７５】
同様に、基本コンクリートブロック１０４において、下嵌入部１１の下端の外周を構成する辺ｒ１は、二つの下脚部５，５の天井の内側角部である点ｙ１，ｙ２を結ぶ線上に、また、辺ｒ２は、二つの下脚部５，５の天井の内側角部である点ｙ３，ｙ４を結ぶ線上に存在するが、辺ｑ１は、二つの下脚部５，５の天井の内側角部である点ｙ２，ｙ３を結ぶ線よりも外側に、また、辺ｑ２は、二つの下脚部５，５の天井の内側角部である点ｙ４，ｙ１を結ぶ線よりも外側に存在する。しかし、この例でも、下嵌入部１１は下脚部５，５，５，５のいずれとも重なってはおらず、且つ、下嵌入部１１の外周を形成する四辺ｒ１，ｑ１，ｒ２，ｑ２のすべての外側に下面２０が存在する。
【手続補正５】
【補正対象書類名】明細書
【補正対象項目名】００７８
【補正方法】変更
【補正の内容】
【００７８】
図３０乃至図３３において、符号ｖ，ｖ１は、上面１９の枠幅、すなわち、上面１９の辺ｍと上嵌入部８の上端である外周の、辺ｍに平行な辺ｐ１（又は辺ｐ２）との間の長さであり、符号ｗ，ｗ１は、上面１９のもう一つの枠幅、すなわち、上面１９の辺ｌ（エル）と上嵌入部８の上端である外周の、辺ｌ（エル）に平行な辺ｎ１（又は辺ｎ２）との間の長さであり、符号ｖ２は、下面２０の枠幅、すなわち、下面２０の辺ｍと下嵌入部１１の下端である外周の、辺ｍに平行な辺ｒ１（又は辺ｒ２）との間の長さであり、符号ｗ２は、下面２０のもう一つの枠幅、すなわち、下面２０の辺ｌ（エル）と下嵌入部１１の下端である外周の、辺ｌ（エル）に平行な辺ｑ１（又は辺ｑ２）との間の長さである。一辺ｌ（エル）の長さに対する枠幅ｖ，ｖ１，ｖ２の比率は、０．１５乃至０．３５であることが好ましく、０．１５乃至０．３０であることが更に好ましく、０．２０乃至０．２５であることがさらにより好ましく、０．２２乃至０．２４であることが特に好ましい。また、一辺ｍの長さに対する枠幅ｗ，ｗ１，ｗ２の比率は、０．１５乃至０．３５であることが好ましく、０．１５乃至０．３０であることが更に好ましく、０．２０乃至０．２５であることがさらにより好ましく、０．２２乃至０．２４であることが特に好ましい。なお、図１乃至図４に示す基本コンクリートブロック１００では、一辺ｌ（エル）又はｍに対する枠幅の比率は、０．２５弱である。基本コンクリートブロック１００の平面図は製作寸法での図であるが、基本コンクリートブロックの設計寸法（設計寸法とは、ブロック内の各部の寸法にブロックの積上げ施工に必要な余裕を配慮してブロックを製作するための製作寸法を決める以前におけるブロックの基本的な寸法をいう）において、上嵌入部８の上端を構成する辺及び下嵌入部１１の下端を構成する辺の長さは、いずれも設計寸法におけるブロック外周を構成する辺の長さの約１／２であり、望ましくは１／２であるが、製作寸法におけるブロック上面１９及び下面２０の枠幅は、ブロック製作時の製作誤差、ブロックを設置する基礎面の凹凸及びブロック積み上げ施工における僅かの余裕の必要性に配慮して、製作寸法におけるブロック外周を構成する辺の長さに対して、０．１５乃至０．３５であることが好ましく、０．１５乃至０．３０であることが更に好ましく、０．２０乃至０．２５であることがさらにより好ましく、０．２２乃至０．２４であることが特に好ましい。